(57)【要約】【課題】組み合わせる機器の負荷を大きくすることなく、携帯電話端末と組み合わせることにより使い勝手のよいボタン電話機を構成して、利用できるようにする。【解決手段】載置装置４は携帯電話端末５が載置されると、載置通知を形成し、ＬＡＮ２を通じてＳＩＰサーバ１に送信する。携帯電話端末５は載置装置４に載置されたことを検出すると、識別情報を形成して無線送信し、ＡＰ装置３を通じてＳＩＰサーバ１に送信する。ＳＩＰサーバ１は、載置通知を送信した載置装置４と、識別情報を送信した携帯電話端末５とをペアリングして管理し、載置装置４を通じての通話を可能にすると共に、通話に関する表示情報は、ペアリングされた携帯電話端末５に送信して表示させる。【選択図】図１
2012213100.tif 000002
【特許請求の範囲】
【請求項１】
広域ネットワークに接続される交換装置と、前記交換装置に対して接続される端末装置と、前記端末装置が載置されると共に、前記交換装置に対して接続される載置装置とを備える電話システムであって、
前記載置装置は、
受話器と、
送話器と、
ユーザからの操作入力を受け付ける操作入力手段と、
前記端末装置が載置されたことを検出する検出手段と、
前記検出手段により前記端末装置が載置されたことを検出した場合に、載置通知を形成し、これを前記交換装置に送信する載置通知送信処理手段と、
前記操作入力手段を通じて受け付けた操作入力に応じた通信に関する信号を形成し、これを前記交換装置に対して送信するようにする送信処理手段と、
前記交換装置からの通信に関する自機宛ての信号を受信し、これを用いるようにする受信処理手段と、
前記交換装置を通じて通話の相手先との間で送受する通話信号を処理する通話信号処理手段と
を備え、
前記端末装置は、
表示素子と、
前記載置装置に載置されたことを検出する載置検出手段と、
前記載置検出手段により前記載置装置に載置されたことを検出した場合に、自機の識別情報を前記交換装置に対して送信する識別情報送信処理手段と、
前記交換装置からの表示情報を受信する表示情報受信手段と、
前記表示情報受信手段を通じて受信した前記表示情報を、前記表示素子の表示画面に表示するようにする表示制御手段と
を備え、
前記交換装置は、
前記載置装置からの前記載置通知を受信する載置通知受信手段と、
前記端末装置からの前記識別情報を受信する識別情報受信手段と、
前記載置通知受信手段を通じて受信した前記載置通知の送信元の前記載置装置と、前記識別情報受信手段を通じて受信した前記識別情報により特定される前記端末装置とを対応付けて管理する管理手段と、
前記載置装置からの通信に関する信号を受信し、これを用いるようにする制御信号受信処理手段と、
前記載置装置に対して提供する通信に関する信号を形成し、これを前記載置装置に送信するようにする制御信号送信処理手段と、
通話の相手先と前記載置装置との間において、通話信号を中継するようにする通話信号中継手段と、
前記載置装置に関する表示情報を、前記管理手段により管理されている当該載置装置に載置された前記端末装置に対して送信する表示情報送信処理手段と
を備えることを特徴とする電話システム。
【請求項２】
請求項１に記載の電話システムであって、
前記交換装置は、
前記載置通知受信手段を通じて受信した載置通知と、前記識別情報受信手段を通じて受信した識別情報との一方または両方が複数存在するために、載置装置と端末装置との対応付けができない場合に、前記識別情報を送信してきた前記端末装置に対して載置し直すように要求する再載置要求手段を備えることを特徴とする電話システム。
【請求項３】
請求項１に記載の電話システムであって、
前記載置装置は、
自機に載置された前記端末装置が取外された場合に、これを検知する取外し検知手段と、
前記取外し検知手段により、自機に載置された前記端末装置が取外されたことを検知した場合に、取外し通知を前記交換装置に送信する取外し通知手段と
を備え、
前記交換装置は、
前記載置装置からの前記取外し通知を受信する取外し通知受信手段を備え、
前記取外し通知受信手段を通じて前記取外し通知を受信した場合に、前記管理手段は、当該取外し通知の送信元の前記載置装置と、載置されていた前記端末装置との管理を解除することを特徴とする電話システム。
【請求項４】
請求項１に記載の電話システムであって、
前記端末装置は、
前記載置装置から取外された場合に、これを検知する端末取外し検知手段と、
前記端末取外し検知手段により、載置装置から自機が取外されたことを検知した場合に、自機の識別情報を含む端末取外し通知を前記交換装置に送信する端末取外し通知手段と
を備え、
前記交換装置は、
前記端末装置からの前記端末取外し通知を受信する端末取外し通知受信手段を備え、
前記端末取外し通知受信手段を通じて前記端末取外し通知を受信した場合に、前記管理手段は、当該取外し通知の送信元の前記載置装置と、載置されていた前記端末装置との管理を解除することを特徴とする電話システム。
【請求項５】
請求項１に記載の電話システムであって、
前記端末装置は、無線通信手段を備え、
前記交換装置と前記端末装置とは、少なくとも一部に無線通信経路を含む通信経路を通じて接続され、
前記交換装置と前記載置装置とは、有線通信経路を通じて接続されることを特徴とする電話システム。
【請求項６】
広域ネットワークに接続される交換装置と、前記交換装置に対して接続される端末装置と、前記端末装置が載置されると共に、前記交換装置に対して接続される載置装置とを備える電話システムの前記載置装置であって、
受話器と、
送話器と、
ユーザからの操作入力を受け付ける操作入力手段と、
前記端末装置が載置されたことを検出する検出手段と、
前記検出手段により前記端末装置が載置されたことを検出した場合に、載置通知を形成し、これを前記交換装置に送信する載置通知送信処理手段と、
前記操作入力手段を通じて受け付けた操作入力に応じた通信に関する信号を形成し、これを前記交換装置に対して送信するようにする送信処理手段と、
前記交換装置からの通信に関する自機宛ての信号を受信し、これを用いるようにする受信処理手段と、
前記交換装置を通じて通話の相手先との間で送受する通話信号を処理する通話信号処理手段と
を備えることを特徴とする載置装置。
【請求項７】
広域ネットワークに接続される交換装置と、前記交換装置に対して接続される端末装置と、前記端末装置が載置されると共に、前記交換装置に対して接続される載置装置とを備える電話システムの前記端末装置であって、
表示素子と、
前記載置装置に載置されたことを検出する載置検出手段と、
前記載置検出手段により前記載置装置に載置されたことを検出した場合に、自機の識別情報を前記交換装置に対して送信する識別情報送信処理手段と、
前記交換装置からの表示情報を受信する表示情報受信手段と、
前記表示情報受信手段を通じて受信した前記表示情報を、前記表示素子の表示画面に表示するようにする表示制御手段と
を備えることを特徴とする端末装置。
【請求項８】
広域ネットワークに接続される交換装置と、前記交換装置に対して接続される端末装置と、前記端末装置が載置されると共に、前記交換装置に対して接続される載置装置とを備える電話システムの前記交換装置であって、
前記載置装置からの前記載置通知を受信する載置通知受信手段と、
前記端末装置からの前記識別情報を受信する識別情報受信手段と、
前記載置通知受信手段を通じて受信した前記載置通知の送信元の前記載置装置と、前記識別情報受信手段を通じて受信した前記識別情報により特定される前記端末装置とを対応付けて管理する管理手段と、
前記載置装置からの通信に関する制御信号を受信し、これを用いるようにする制御信号受信処理手段と、
前記載置装置に対して提供する通信に関する制御信号を形成し、これを前記載置装置に送信するようにする制御信号送信処理手段と、
通話の相手先と前記載置装置との間において、通話信号を中継するようにする通話信号中継手段と、
前記載置装置に関する表示情報を、前記管理手段により管理されている当該載置装置に載置された前記端末装置に対して送信する表示情報送信処理手段と
を備えることを特徴とする交換装置。
【請求項９】
広域ネットワークに接続される交換装置と、前記交換装置に対して接続される端末装置と、前記端末装置が載置されると共に、前記交換装置に対して接続される載置装置とを備える電話システムで用いられる機器接続方法であって、
前記載置装置においては、
前記端末装置が載置されたことを検出手段が検出する検出工程と、
前記検出工程において前記端末装置が載置されたことを検出した場合に、載置通知送信処理手段が載置通知を形成し、これを前記交換装置に送信する載置通知送信処理工程と、
送信処理手段が、操作入力手段を通じて受け付けた操作入力に応じた通信に関する信号を形成し、これを前記交換装置に対して送信するようにする送信処理工程と、
受信処理手段が、前記交換装置からの通信に関する自機宛ての信号を受信し、これを用いるようにする受信処理工程と、
通話信号処理手段が、前記交換装置を通じて通話の相手先との間で送受する通話信号を処理する通話信号処理工程と
を有し、
前記端末装置においては、
前記載置装置に載置されたことを載置検出手段が検出する載置検出工程と、
前記載置検出工程において前記載置装置に載置されたことを検出した場合に、識別情報送信処理手段が、自機の識別情報を前記交換装置に対して送信する識別情報送信処理工程と、
表示情報受信手段が、前記交換装置からの表示情報を受信する表示情報受信工程と、
表示制御手段が、前記表示情報受信工程において受信した前記表示情報を、表示素子の表示画面に表示するようにする表示制御工程と
を有し、
前記交換装置においては、
載置通知受信手段が、前記載置装置からの前記載置通知を受信する載置通知受信工程と、
識別情報受信手段が、前記端末装置からの前記識別情報を受信する識別情報受信工程と、
前記載置通知受信工程において受信した前記載置通知の送信元の前記載置装置と、前記識別情報受信工程において受信した前記識別情報により特定される前記端末装置とを管理手段が対応付けて管理する管理工程と、
受信処理手段が、前記載置装置からの通信に関する信号を受信し、これを用いるようにする制御信号受信処理工程と、
制御信号送信処理手段が、前記載置装置に対して提供する通信に関する信号を形成し、これを前記載置装置に送信するようにする制御信号送信処理工程と、
通話の相手先と前記載置装置との間において、通話信号中継手段が通話信号を中継するようにする通話信号中継工程と、
前記載置装置に関する表示情報を、表示情報送信処理手段が前記管理手段により管理されている当該載置装置に載置された前記端末装置に対して送信する表示情報送信処理工程と
を有することを特徴とする電話システムの機器接続方法。
【発明の詳細な説明】
【技術分野】
【０００１】
この発明は、例えば、ＳＩＰ（Session Initiation Protocol）サーバや主装置といった交換装置に対して通信機器を接続して構成する電話システム、当該システムで用いられる各装置及び方法に関する。
【背景技術】
【０００２】
後に記す特許文献１に記載されているように、無線ＬＡＮ（Local Area Network）と携帯電話網とのいずれにも接続可能ないわゆるデュアル携帯電話端末が知られている。そして、デュアル携帯電話端末は、会社内においては、当該会社内において無線ＬＡＮが用いられて構築される電話システムのいわゆる内線電話として用いることができ、外出先では携帯電話網を通じて通信を行う携帯電話端末として用いることができるようにすることが行われている。
【０００３】
そして、特許文献１には、発信元のデュアル携帯電話端末が着信先に対して無線ＬＡＮに接続されているか否かを通知したり、発信元が着信先のデュアル携帯電話端末に無線ＬＡＮに接続されているか否かを確認したりする技術が開示されている。当該技術により、携帯電話網を通じて通信を行う場合に比べて、より通信コストが安価な無線ＬＡＮに接続された相手先と通信を行える頻度を高くすることができるようにされる。
【先行技術文献】
【特許文献】
【０００４】
【特許文献１】特開２００８−１０９１９１号公報
【発明の概要】
【発明が解決しようとする課題】
【０００５】
ところが、一般に、外出している場合に比べて会社内に在席しているときには、電話を掛けたり受けたりする機会が多くなる。このため、会社内においては、デュアル携帯電話端末ではなく、受話器と送話器とを備えたハンドセットと、大き目の各種操作キーとが設けられたいわゆるボタン電話機を用いて、良好にかつ操作性良く電話を受けたり、掛けたりしたいとする要求がある。しかし、これでは携帯電話端末を所持する社員用にも、会社内にボタン電話機を用意しなければならないし、携帯電話端末の有効利用を図ることもできない。
【０００６】
そこで、受話器と送話器とを有するハンドセットやキー操作部を備えた電話本体部と例えば表示器として用いるようにする携帯電話端末とを組み合わせて（ペアリングして）、１つのボタン電話機を構成することが考えられる。しかし、電話本体部と携帯電話端末とをどのようにペアリングして管理するかが問題になる。例えば、特開２００５−３２８２９５号公報には、給湯器本体と無線リモコンとの間でおいて、簡単かつ確実にペアリングを行えるようにする技術が開示されており、当該技術をここでいう電話本体部と携帯電話端末とのペアリングに適用することも考えられる。
【０００７】
しかしながら、電話本体部と携帯電話端末とを適切にペアリングできたとしても、ペアリングされた携帯電話端末を制御する機能を電話本体部側に持たせるようにすると、当該電話本体部の機能を高機能にしなければならない。したがって、この場合には個々の電話本体部の負荷が大きくなり、結果として、既存のボタン電話機を導入する場合と比べて、電話本体部と携帯電話端末とをペアリングすることにより生じるメリットが低下してしまうと考えられる。
【０００８】
以上のことに鑑み、組み合わせる機器の負荷を大きくすることなく、携帯電話端末と組み合わせることにより使い勝手のよいボタン電話機を構成して、利用できるようにすることを目的とする。
【課題を解決するための手段】
【０００９】
上記課題を解決するため、請求項１に記載の発明の電話システムは、広域ネットワークに接続される交換装置と、前記交換装置に対して接続される端末装置と、前記端末装置が載置されると共に、前記交換装置に対して接続される載置装置とを備える電話システムであって、
前記載置装置は、
受話器と、
送話器と、
ユーザからの操作入力を受け付ける操作入力手段と、
前記端末装置が載置されたことを検出する検出手段と、
前記検出手段により前記端末装置が載置されたことを検出した場合に、載置通知を形成し、これを前記交換装置に送信する載置通知送信処理手段と、
前記操作入力手段を通じて受け付けた操作入力に応じた通信に関する信号を形成し、これを前記交換装置に対して送信するようにする送信処理手段と、
前記交換装置からの通信に関する自機宛ての信号を受信し、これを用いるようにする受信処理手段と、
前記交換装置を通じて通話の相手先との間で送受する通話信号を処理する通話信号処理手段と
を備え、
前記端末装置は、
表示素子と、
前記載置装置に載置されたことを検出する載置検出手段と、
前記載置検出手段により前記載置装置に載置されたことを検出した場合に、自機の識別情報を前記交換装置に対して送信する識別情報送信処理手段と、
前記交換装置からの表示情報を受信する表示情報受信手段と、
前記表示情報受信手段を通じて受信した前記表示情報を、前記表示素子の表示画面に表示するようにする表示制御手段と
を備え、
前記交換装置は、
前記載置装置からの前記載置通知を受信する載置通知受信手段と、
前記端末装置からの前記識別情報を受信する識別情報受信手段と、
前記載置通知受信手段を通じて受信した前記載置通知の送信元の前記載置装置と、前記識別情報受信手段を通じて受信した前記識別情報により特定される前記端末装置とを対応付けて管理する管理手段と、
前記載置装置からの通信に関する信号を受信し、これを用いるようにする制御信号受信処理手段と、
前記載置装置に対して提供する通信に関する信号を形成し、これを前記載置装置に送信するようにする制御信号送信処理手段と、
通話の相手先と前記載置装置との間において、通話信号を中継するようにする通話信号中継手段と、
前記載置装置に関する表示情報を、前記管理手段により管理されている当該載置装置に載置された前記端末装置に対して送信する表示情報送信処理手段と
を備えることを特徴とする。
【００１０】
この請求項１に記載の発明の電話システムによれば、当該電話システムは、交換装置と、携帯端末と、載置装置とにより構成され、携帯端末と載置装置とは、それぞれが独立して交換装置に対して接続することができるようにされている。載置装置は、受話器、送話器、操作入力手段を備え、ユーザによって直接に使用、操作される電話本体部としての機能を有する。載置装置において、検出手段により端末装置が載置されたことが検出されると、載置通知送信処理手段により、載置通知が形成されて、これが交換装置に送信される。そして、載置装置は、自機に載置された携帯端末と共に、交換装置の配下の電話端末となるようにされ、送信処理手段、受信処理手段、通話信号処理手段が機能し、電話を掛けたり、電話を受けたりして、通話を行うことができるようにされる。
【００１１】
一方、端末装置においては、載置検出手段により載置装置に載置されたことが検出されると、識別情報送信処理手段により、当該端末装置の識別情報が交換装置に送信される。そして、表示情報受信手段により交換装置からの表示情報が受信され、この受信された表示情報が、表示制御手段の制御により、表示素子の表示画面に表示するようにされる。このようにして、当該端末装置は、載置装置と共に構成する電話端末の表示器としての機能を実現する。
【００１２】
そして、交換装置においては、管理手段により、載置通知受信手段を通じて受信された載置通知の送信元の載置装置と、識別情報受信手段により受信された識別情報により特定される携帯端末とが対応付けられて管理される。そして、制御信号受信処理手段、制御信号送信処理手段、通話信号中継手段、表示情報送信処理手段が機能し、載置装置との間で制御信号や通話信号を送受すると共に、当該載置装置に載置された（ペアリングされた）携帯端末に表示情報を送信する。これにより、ペアリングされた載置装置と携帯電話端末とが、交換装置の配下の電話端末として機能するようにされる。
【００１３】
これにより、載置装置と携帯端末との双方の負荷を大きくすることなく、載置装置と携帯端末とで交換装置の配下の使い勝手のよい電話端末を構成して、ユーザが利用することができるようにされる。
【発明の効果】
【００１４】
この発明によれば、組み合わせる機器の負荷を大きくすることなく、携帯電話端末と組み合わせることにより使い勝手のよいボタン電話機を構成して、ユーザが利用することができる。
【図面の簡単な説明】
【００１５】
【図１】実施の形態の電話システムの概要を説明するための図である。
【図２】ＳＩＰサーバ１の構成例を説明するためのブロック図である。
【図３】アドレス管理ＤＢ１０６に形成される管理情報（データベース）の構成例について説明するための図である。
【図４】ペアリング管理メモリ１０９に形成されるペアリング管理ＴＢの構成例について説明するための図である。
【図５】載置装置４の構成例を説明するためのブロック図である。
【図６】携帯電話端末５の構成例を説明するためのブロック図である。
【図７】ペアリング登録処理の一例を説明するためのシーケンス図である。
【図８】ＳＩＰサーバ１のペアリング管理メモリ１０９のペアリング管理ＴＢの更新の状態の例を説明するための図である。
【図９】ペアリング解除処理を説明するための図である。
【図１０】ＳＩＰサーバ１においてペアリングされた載置装置４と携帯電話端末５とからなる電話端末からの発信時の処理を説明するためのシーケンス図である。
【図１１】ＳＩＰサーバ１においてペアリングされた載置装置４と携帯電話端末５とからなる電話端末への着信時の処理を説明するためのシーケンス図である。
【図１２】未ペアリング時に載置装置４に着信が発生した場合に、留守番応答を行う処理を説明するためのシーケンス図である。
【図１３】未ペアリング時に載置装置４に着信が発生した場合に、いわゆるビジー応答を行う処理を説明するためのシーケンス図である。
【図１４】未ペアリング時に載置装置４に着信が発生した場合に、転送有無設定をも考慮した処理を説明するためのシーケンス図である。
【図１５】未ペアリング時に載置装置４に着信が発生した場合に、直近にペアリングされていた携帯電話端末５に着信の転送を行う処理を説明するためのシーケンス図である。
【図１６】ＳＩＰサーバ１への複数のペアリング登録処理について説明するためのシーケンス図である。
【図１７】図１６に続くシーケンス図である。
【発明を実施するための形態】
【００１６】
以下、図を参照しながら、この発明によるシステム、装置、方法の一実施の形態について説明する。以下に説明する実施の形態においては、例えば、事業所内に形成されるボタン電話システムであって、ＩＰ（Internet Protocol）網を通じて電話通信を行うことができるＩＰ電話システムに、この発明を適用した場合を例にして説明する。
【００１７】
［電話システムの概要］
図１は、この実施の形態の電話システムの概要を説明するための図である。図１に示すように、この実施の形態の電話システムにおいては、ＳＩＰサーバ１に対し、ＬＡＮ２を通じて、ＡＰ（Access Point）装置３、載置装置４、ＩＰ電話機９が接続される。ここでＬＡＮ２は、有線により各機器を接続するように形成されたものである。そして、載置装置４の載置部４１０に携帯電話端末５を載置させることにより、当該携帯電話端末５は載置装置４から充電電流の供給を受けて、自機に搭載されたバッテリに対して充電を行うことができるようにしている。
【００１８】
なお、図１においては説明を簡単にするため、ＡＰ装置３、載置装置４、ＩＰ電話機９のそれぞれは１台ずつしか示していない。しかし、ＳＩＰサーバ１に対しては、ＬＡＮ２を通じて、ＡＰ装置３、載置装置４、ＩＰ電話機９のそれぞれを複数接続することにより、大規模な電話システムを構成することもできる。
【００１９】
ＳＩＰサーバ１は、図１に示したように、ＩＰ網６と電話網７とに接続され、通信路（通信回線）を接続する端末間のアドレス解決をするものである。つまり、ＳＩＰサーバ１は、レジストラ・サーバ機能とプロキシ・サーバ機能とを備え、これらの機能を用いることによって、ＬＡＮ２に接続された電話システム内の機器との間や、ＬＡＮ２に接続された機器とＩＰ網６や電話網７に接続された機器との間に、通信路を接続することができるようにするものである。また、ＳＩＰサーバ１は、詳しくは後述もするが、自機の配下の電話端末となる載置装置４と携帯電話端末５との対応付け（ペアリング）と、その対応付け（ペアリング）の管理をも行うことができるものである。
【００２０】
ＩＰ網６は、ＩＰ（Internet Protocol）を用いて通信を行うネットワークを意味し、具体的にはインターネットである。電話網７は、アナログ方式の公衆交換電話網（ＰＳＴＮ（Public Switched Telephone Network））、デジタル回線網（ＩＳＤＮ（Integrated Services Digital Network））、３Ｇ回線などと呼ばれる第３世代の高速携帯電話ネットワーク（携帯電話網）などを含むものである。
【００２１】
ＡＰ装置３は、所定の無線機器のＬＡＮ２への接続を可能にするものである。具体的にＡＰ装置３は、自機に無線接続可能な無線機器からの信号を受信し、受信した当該信号からＬＡＮ２に送出する信号を形成し、これをＬＡＮ２を通じてＳＩＰサーバ１に送信する。また、ＡＰ装置３は、ＳＩＰサーバ１からの信号を受信し、受信した当該信号から無線により送信する信号を形成し、これを自機に接続された無線機器に無線送信する。このように、ＡＰ装置３は、ＳＩＰサーバ１と無線機器との通信を中継する機能を実現するものである。
【００２２】
なお、この実施の形態において、ＡＰ装置３は、後述する携帯電話端末５をＬＡＮ２に対して接続する機能を実現する。そして、この実施の形態において、ＡＰ装置３と後述する携帯電話端末５とは、例えば、ＩＥＥＥ８０２．１１ａ、同８０２．１１ｂ／ｇ規格によって、あるいは、その後継規格によって無線接続することができるようにされる。
【００２３】
載置装置４は、上述もしたように、載置部４１０に載置された携帯電話端末５に対して充電を行う機能を有する。また、載置装置４は、受話器と送話器とを有するハンドセット４０６や数字キー（テンキー）や種々のファンクションキーを備えた操作入力部４０８を備え、ユーザによって直接に使用、操作される電話本体部としての機能を有するものである。そして、載置装置４は、載置部４１０に携帯電話端末５が載置された場合には、自機の識別情報を含む載置通知を形成し、これをＬＡＮ２を通じてＳＩＰサーバ１に送信する。
【００２４】
これにより、ＳＩＰサーバ１においては、受信した載置通知に含まれる載置装置４の識別情報により、どの載置装置４に携帯電話端末５が載置されたかを把握することができる。なお、ＳＩＰサーバ１に複数の接続ポートが設けられており、各ポートに異なる載置装置４等の機器が接続するようにされて電話システムが構築される場合もある。この場合には、当該ＳＩＰサーバ１は、載置通知を送信してきた載置装置４が接続されているポートのポート番号によって、載置通知を送信してきた載置装置４を把握（特定）することができるようにされる。
【００２５】
携帯電話端末５は、載置装置４に対して載置されていないときには、携帯電話網（３Ｇ回線）を通じて通信路（通信回線）を接続して通話を行うことができるものである。また、携帯電話端末５は、載置装置４に対して載置されていないときには、携帯電話網を通じてインターネットに接続し、Ｗｅｂページを閲覧したり、種々の情報のダウンロードやアップロードを行ったり、また、電子メールの送信、受信を行ったりすることもできるものである。
【００２６】
そして、携帯電話端末５は、載置装置４に対して載置されたときには、携帯電話網を通じての通信はできないようにし、近隣のＡＰ装置３を通じてＬＡＮ２に接続するようにされる。そして、当該携帯電話端末５は、自機の識別情報として、無線ＬＡＮ接続用に割り当てられているＩＤ情報（携帯電話ＩＤ）と自機のメモリに記憶されている自機に割り当てられている電話番号（携帯電話番号）を含む識別情報を、ＬＡＮ２を通じてＳＩＰサーバ１に送信する。
【００２７】
これにより、ＳＩＰサーバ１においては、受信した携帯電話端末５からの識別情報に基づいて、どの携帯電話端末５が載置装置４に対して載置されたかを把握することができる。そして、載置装置４における携帯電話端末５が載置されたことの検出と、携帯電話端末５における載置装置４に載置されたことの検出とはほぼ同時に行われる。このため、載置装置４からの載置通知と携帯電話端末５からの識別情報とは、近接したタイミングでＳＩＰサーバ１に送信され、近接したタイミングでＳＩＰサーバ１において受信される。
【００２８】
したがって、ＳＩＰサーバ１においては、載置装置４からの載置通知と携帯電話端末５からの識別情報とに基づいて、どの載置装置４にどの携帯電話端末５が載置されたかを把握することができる。このため、ＳＩＰサーバ１においては、載置通知を送信してきた載置装置４と識別情報を送信してきた携帯電話端末５との対応付け（ペアリング）を行い、これを管理する。すなわち、ＳＩＰサーバ１は、どの載置装置４に対して、どの携帯電話端末５が載置されたかを把握し、これを管理することができるようにしている。
【００２９】
そして、ＳＩＰサーバ１は、ペアリングした載置装置４と携帯電話端末５とにより、ＳＩＰサーバ１の配下の電話端末が形成されたと見做す。これにより、ＳＩＰサーバ１は、ＬＡＮ２を通じて自機に接続され、自機の配下となった載置装置４を通じて電話を掛けたり、電話を受けたりすることを可能にする。同時に、ＳＩＰサーバ１は、当該載置装置４に載置された携帯電話端末５に対して、ＬＡＮ２及びＡＰ装置３を通じて電話通信に関する表示情報を提供し、これを当該携帯電話端末５の表示素子に表示する。
【００３０】
すなわち、載置装置４と、これに載置された携帯電話端末５とは、共にＳＩＰサーバ１によってペアリングされて、管理され、制御される。そして、当該当該載置装置４は、ユーザによって直接に使用、操作される電話本体部として用いられ、当該載置装置４に載置された携帯電話端末５は、当該載置装置４と共に構成する電話端末の表示器として用いられるようにされる。
【００３１】
なお、ＳＩＰサーバ１から載置装置４に載置された電話通信に関する表示情報は、発信時には、例えば、入力した相手先の電話番号や呼び出し中を示す表示情報等であり、着信時には、例えば、発信元の電話番号や着信有りを示す表示情報等である。この他にも、種々のガイダンスメッセージや場合によっては警告メッセージなどを、ＳＩＰサーバ１からの表示情報に応じて、載置装置４に載置された携帯電話端末５の表示素子の表示画面に表示することができるようにされる。
【００３２】
また、ＳＩＰサーバ１に対して複数の載置装置４（１）、４（２）、…が接続されている場合に、複数の載置装置４（１）、４（２）、…に幾つかに、携帯電話端末５（１）、５（２）、…がほぼ同時に載置される場合もある。この場合、複数の載置通知と複数の携帯電話端末の識別情報とが送信されてきた場合には、ＳＩＰサーバ１においてペアリングを行うことができない。
【００３３】
このような場合には、ＳＩＰサーバ１は、識別情報を送信してきた携帯電話端末５（１）、５（２）、…のそれぞれに対して、再載置要求を送信する。当該再載置要求を受信した携帯電話端末５（１）、５（２）、…においては、再載置を行うことを要求するメッセージを表示したり、放音したりしてユーザに通知する。これにより、携帯電話端末５（１）、５（２）、…のそれぞれのユーザに対して、目的とする載置装置４（１）、４（２）、…への置き直しを行うようにさせることができるようにされる。
【００３４】
また、載置装置４の載置部４１０に載置された携帯電話端末５が、当該載置装置４から取外された場合には、当該携帯電話端末５は、携帯電話網を通じて通信を行う機能を復活させて、元の携帯電話端末として機能することができるようにされる。また、当該携帯電話端末５が取外された載置装置４は、ペアリングを解除するようにＳＩＰサーバ１に対して要求し、ＳＩＰサーバ１の配下から離脱し、携帯電話端末５の載置待ちとなるようにされる。
【００３５】
このように、この実施の形態の電話システムは、載置装置４と携帯電話端末５とのペアリングと管理や、載置装置４や携帯電話端末５のそれぞれの制御は、ＳＩＰサーバ１によって行うようにされる。したがって、対応付けられた（ペアリングされた）載置装置４と携帯電話端末５とにおいては、自機がどの機器と対応付けられているかを一切認識することなく、それぞれがＳＩＰサーバ１の制御の下に機能することによって、ＳＩＰサーバ１の配下の電話端末として機能することができるようにされる。以下、この実施の形態の電話システムを構成するＳＩＰサーバ１、載置装置４、携帯電話端末５の構成例について説明する。
【００３６】
［ＳＩＰサーバ１の構成例］
まず、この実施の形態の電話システムのＳＩＰサーバ１について説明する。図２は、ＳＩＰサーバ１の構成例を説明するためのブロック図である。図２に示すように、ＳＩＰサーバ１は、ＩＰ網６への接続端子１０１と、ＩＰ網インターフェース（以下、ＩＰ網Ｉ／Ｆと略称する。）１０２と、パケット分解／生成部１０３とを備えている。また、ＳＩＰサーバ１は、電話網インターフェース（以下、電話網Ｉ／Ｆと略称する。）１０４と、電話網７への接続端子１０５と、アドレス管理データベース（以下、アドレス管理ＤＢと略称する。）１０６とを備えている。さらに、ＳＩＰサーバ１は、ＬＡＮインターフェース（以下、ＬＡＮＩ／Ｆと略称する。）１０７と、ＬＡＮ２への接続端子１０８と、ペアリング管理メモリ１０９と、制御部１１０とを備えている。
【００３７】
制御部１１０は、この実施の形態のＳＩＰサーバ１の各部を制御するものであり、図２に示すように、ＣＰＵ（Central Processing Unit）１１１、ＲＯＭ（Read Only Memory）１１２、ＲＡＭ（Random Access Memory）１１３がシステムバス１１４を通じて接続されて構成されたマイクロコンピュータである。ここで、ＣＰＵ１１１は、ＲＯＭ１１２に記憶保持されているプログラムを実行することにより、各部を制御するための制御信号を生成して各部に供給したり、各部からの情報を処理したりするものである。ＲＯＭ１１２は、上述のように、ＣＰＵ１１１で実行される種々のプログラムや処理に必要となる種々のデータを記憶保持しているものである。
【００３８】
また、ＲＡＭ１１３は、処理の途中結果を一時記憶するなど、主に、作業領域として用いられるものである。なお、図示しないが、例えば、ＥＥＰＲＯＭ（Electrically Erasable and Programmable ROM）やフラッシュメモリーなどのいわゆる不揮発性メモリを備え、電源が落とされても保持しておくべきデータ、例えば、種々の設定パラメータや機能アップのために提供された新たなプログラム、自機に割り当てられたＩＰアドレスなどについても記憶保持することができるようにされている。
【００３９】
接続端子１０１は、ＩＰ網６への接続端部を構成するものである。ＩＰ網Ｉ／Ｆ１０２は、ＩＰ網６を通じて供給されるパケットを受け付けて、これを自機において処理可能な形式のパケットに変換して制御部１１０に供給する。また、ＩＰ網Ｉ／Ｆ１０２は、制御部１１０を通じて供給される送信すべきパケットを送信用の形式のパケットに変換して、これをＩＰ網６に送出する。
【００４０】
接続端子１０５は電話網７への接続端部を構成するものである。電話網Ｉ／Ｆ１０４は、電話網７を通じて供給されるデータを受け付けて、これを自機において処理可能な形式のデータに変換して制御部１１０に供給する。また、電話網Ｉ／Ｆ１０４は、制御部１１０を通じて供給される送信すべきデータを送信用の形式のデータに変換して、これを電話網７に送出する。
【００４１】
接続端子１０８はＬＡＮ２への接続端部を構成するものである。ＬＡＮＩ／Ｆ１０７は、ＬＡＮ２を通じて供給されるパケットを受け付けて、これを自機において処理可能な形式のパケットに変換して制御部１１０に供給する。また、ＬＡＮＩ／Ｆ１０７は、制御部１１０を通じて供給される送信すべきパケットを送信用の形式のパケットに変換して、これをＬＡＮ２に送出する。
【００４２】
パケット分解／生成部１０３は、パケットの分解や生成を行うものである。具体的には、ＬＡＮ２を通じてＳＩＰサーバ１に対して接続される電話端末等からの電話網７に接続された端末装置に送信すべきパケットは、接続端子１０８、ＬＡＮＩ／Ｆ１０７を通じて制御部１１０に受け付けられる。当該パケットは、制御部１１０からパケット分解／生成部１０３に供給され、ここでパケット分解された後に、電話網Ｉ／Ｆ１０４、接続端子１０５を通じて電話網７に送出され、目的とする相手先に送信するようにされる。
【００４３】
また、電話網７に接続された端末装置からのＬＡＮ２を通じてＳＩＰサーバ１に接続される配下の電話端末等へのデータは、接続端子１０５、電話網Ｉ／Ｆ１０４を通じて制御部１１０に受け付けられる。当該データは、制御部１１０からパケット分解／生成部１０３に供給され、ここで所定の形式のパケットとされた後に、ＬＡＮＩ／Ｆ１０７、接続端子１０８を通じて、ＬＡＮ２に送出されて目的とする電話端末に送信するようにされる。
【００４４】
なお、ＩＰ網６に接続された端末と、ＳＩＰサーバ１にＬＡＮ２を通じて接続される電話端末等との間では、パケットが送受される。このため、パケット分解／生成部１０３において、パケットの分解や生成は行われることはなく、ＩＰ網Ｉ／Ｆ１０２、ＬＡＮＩ／Ｆ１０７において、データ形式が整えられてそのまま送受するようにされる。同様に、ＳＩＰサーバ１にＬＡＮ２を通じて接続される電話端末等の機器間においても、パケットが送受されるため、パケット分解／生成部１０３において、パケットの分解や生成は行われることはなく、ＬＡＮＩ／Ｆ１０７を通じてパケットが送受するようにされる。
【００４５】
そして、アドレス管理ＤＢ１０６は、レジストラ・サーバ機能を実現するために、ＩＰ網６やＬＡＮ２に接続され、このＳＩＰサーバ１を通じて呼び出す可能性のある端末装置についてのアドレス情報を記憶保持するものである。具体的には、ＳＩＰサーバ１の制御部１１０は、ＩＰ網Ｉ／Ｆ１０２やＬＡＮＩ／Ｆ１０７を通じて、これらに接続されている種々の端末装置からの登録要求（レジスタ・リクエスト）を受信する。この場合に、制御部１１０は、受信した要求に含まれるアドレス情報等を抽出する。そして、制御部１１０は、抽出したアドレス情報等をアドレス管理ＤＢ１０６に登録したり、抽出したアドレス情報等を用いてアドレス管理ＤＢ１０６の登録情報を更新したりする。
【００４６】
このようにして、アドレス管理ＤＢ１０６に登録されて管理される情報が参照され、自機にＬＡＮ２を通じて接続される電話端末などから要求のあった通信先を確実に特定する。そして、その特定した相手先に送信すべき情報（パケットデータ）を転送するようにするプロキシ・サーバとしての機能をＳＩＰサーバ１が実現するようにしている。また、アドレス管理ＤＢ１０６に登録されて管理される情報は、自機にＬＡＮ２を通じて接続される電話端末などへの着信の判別などにも用いられる。
【００４７】
図３は、アドレス管理ＤＢ１０６に形成される管理情報（データベース）の構成例について説明するための図である。ＳＩＰサーバ１のアドレス管理ＤＢ１０６は、ＩＰ網６に接続された他のＩＰ電話システムの端末装置のアドレス情報の他、当該ＳＩＰサーバ１にＬＡＮ接続された電話端末などについてのアドレス情報をも管理することができるものである。
【００４８】
この実施の形態のＳＩＰサーバ１のアドレス管理ＤＢ１０６では、図３に示したように、ＳＩＰサーバ１にＬＡＮ接続された電話端末等については、内線番号、ＩＰアドレス、ポート番号、その他の種々の情報（内線登録データ（内線情報））を登録して管理することができるようにされる。ここで、内線番号とＩＰアドレスとは、ＳＩＰサーバ１の配下の当該電話端末等に対して予め割り当てられるようにされたものである。また、ポート番号は、ＳＩＰサーバ１と当該電話端末との間において、情報の送受に用いるポートを特定する情報であり、当該情報も予め決められたものである。その他の情報として、例えば、ＵＲＩ（Uniform Resource Identifier）やＭＡＣ（Media Access Control）アドレス等についても登録して管理することもできるようにされる。
【００４９】
また、この実施の形態のＳＩＰサーバ１のアドレス管理ＤＢ１０６において管理されるＩＰ網６に接続された端末装置についての管理情報は、当該端末装置から送信されてくるＵＲＩ（ＳＩＰ  ＵＲＩ）と、ＩＰアドレスである。この他、ＭＡＣアドレス等の送信されてくる他の情報を管理することも可能である。
【００５０】
そして、この実施の形態の電話システムにおけるＳＩＰサーバ１の配下の電話端末からＩＰ網６に接続された端末装置に対する発信要求（発呼要求）をＳＩＰサーバ１が受け付けたとする。この場合、ＳＩＰサーバ１の制御部１１０は、自己のアドレス管理ＤＢ１０６の管理情報に基づいて、目的とする相手先の端末装置を特定し、この特定した端末装置に対して、メッセージの転送を行う。
【００５１】
同様に、この実施の形態の電話システムにおけるＳＩＰサーバ１の配下の電話端末から当該ＳＩＰサーバ１にＬＡＮ接続されている当該ＳＩＰサーバ１の配下の他の電話端末に対する発信要求（発呼要求）をＳＩＰサーバ１が受け付けたとする。この場合、ＳＩＰサーバ１の制御部１１０は、自己のアドレス管理ＤＢ１０６の管理情報に基づいて、目的とする相手先の電話端末を特定し、この特定した電話端末に対して、メッセージの転送を行う。
【００５２】
また、ＩＰ網６や電話網７を通じて、自機にＬＡＮに接続されている電話端末に対する着信要求（外線着信）をＳＩＰサーバ１が受け付けたとする。この場合、ＳＩＰサーバ１の制御部１１０は、送信されてきたメッセージを受け付けて、これを自システム内に送出する。なお、外線着信であっても、例えば個別着信（着信先のＩＰ電話端末を特定した着信）や、ＳＩＰサーバ１にＬＡＮ接続された電話端末の内線の発着信の場合には、ＳＩＰサーバ１は相手先を特定して着信を通知する。すなわち、この場合、ＳＩＰサーバ１の制御部１１０は、自己のアドレス管理ＤＢ１０６の管理情報に基づいて、目的とする自配下の相手先の電話端末を特定し、この特定した自配下の電話端末に対して、メッセージの転送を行う。
【００５３】
また、発信に際して、ＩＰ電話番号が用いられる場合には、図１には図示しなかったが、ＩＰ網６に接続されているゲートウェイやＤＮＳ（Domain Name System）が利用されて、ＩＰ電話番号からＵＲＩなどが検索されて用いられることになる。相手先から、この実施の形態の電話システムのＳＩＰサーバ１の配下の電話端末に対して、ＩＰ電話番号を用いて電話をかける場合においても同様に、ＩＰ網６に接続されているゲートウェイやＤＮＳが利用されて、ＩＰ電話番号からＵＲＩなどが検索されて用いられることになる。
【００５４】
そして、ペアリング管理メモリ１０９は、上述もしたように、携帯電話端末５が載置された載置装置４と、載置装置４に載置された携帯電話端末５とのペアリングを管理するためのものである。図４は、ペアリング管理メモリ１０９に形成されるペアリング管理ＴＢの構成例について説明するための図である。図４に示すように、ペアリング管理メモリ１０９に形成されるペアリング管理テーブルは、載置装置内線番号、携帯電話ＩＤ、携帯電話番号、ペアリング有無、転送有無設定からなっている。
【００５５】
載置装置内線番号は、ＬＡＮ２を通じてＳＩＰサーバ１に接続される載置装置４に対して予め割り当てられる内線番号であり、載置装置４のそれぞれを特定する載置装置４の識別情報に相当するものである。この載置装置内線番号は、携帯電話端末５が載置部４１０に載置された場合に、当該載置装置４からＳＩＰサーバ１に提供される載置通知に含められているものである。
【００５６】
携帯電話ＩＤは、各携帯電話端末５に固有の情報であり、上述もしたように、無線ＬＡＮへの接続ために予め割り当てられるものである。また、携帯電話番号は、各携帯電話端末５に割り当てられている電話番号である。これら携帯電話ＩＤ及び携帯電話番号は、載置装置４に載置された携帯電話端末５からＳＩＰサーバ１に送信される識別情報（識別通知）に含められる情報である。
【００５７】
ペアリング有無は、載置装置内線番号により特定される載置装置４と、携帯電話ＩＤや携帯電話番号により特定される携帯電話端末５とがペアリングされたときには「有り（オン）」となり、まだペアリングされていない、あるいは、ペアリングが解除されたときには「無し（オフ）」とされるものである。
【００５８】
また、転送有無設定は、図４に示したように、ペアリングが管理されている載置装置４と携帯電話端末５のペアリングが解除された場合に、当該載置装置４への着信をこれにペアリングされていた携帯電話端末５に転送するか否かを示す情報である。転送有無設定が「有り」の場合には、当該載置装置４への着信は、ペアリングされていた携帯電話端末５に対して転送される。また、転送有無設定が「無し」の場合には、当該載置装置４への着信は、ペアリングされていた携帯電話端末５に対して転送しないようにされる。
【００５９】
ここで、ペアリング管理メモリ１０９のペアリング管理テーブルの転送有無設定の設定や解除は、種々の方法により行うことができる。例えば、携帯電話端末５が載置された載置装置４の操作入力部４０８を通じて設定入力操作や解除入力操作を行うことにより、これに応じた情報を形成して、ＳＩＰサーバ１に送信して行うようにすることができる。また、載置装置４に転送有無設定を予め設定するようにしておき、当該設定情報を載置通知に含めてＳＩＰサーバ１に送信して、転送有無設定を更新するようにしてもよい。また、携帯電話端末５に転送有無設定を予め設定するようにしておき、当該設定情報を識別情報に含めてＳＩＰサーバ１に送信して、転送有無設定を更新するようにしてもよい。
【００６０】
そして、図４に示したペアリング管理メモリ１０９のペアリング管理テーブルの例は、載置装置内線番号が「１００」の載置装置と、携帯電話ＩＤが「ＡＢＣ１２３」で携帯電話番号が「０９０…」である携帯電話端末がペアリングされていたが、現在はそのペアリングは解消され、転送有無設定も「無し」とされている状態を示している。
【００６１】
なお、アドレス管理ＤＢ１０６への情報の追加、変更、削除は、上述もしたように、ＩＰ網６を通じてＳＩＰサーバ１に接続される種々の通信機器やＬＡＮ２を通じてＳＩＰサーバ１に接続される電話端末等の機器からの要求に応じて、制御部１１０によって行うことができるようにされる。また、ペアリング管理メモリ１０９への情報の追加、変更、削除は、ＬＡＮ接続端子１０８及びＬＡＮＩ／Ｆ１０７を通じて受け付けたＬＡＮ２に接続された載置装置２や携帯電話端末５からの情報に応じて、制御部１１０が行うことができるようにされる。
【００６２】
また、アドレス管理ＤＢ１０６やペアリング管理メモリ１０９は、ハードディスクなどの磁気ディスク、書き換え可能な光ディスク、光磁気ディスク、半導体メモリ等の比較的に大きな記憶容量を有する種々の記録媒体を用いて構成することができる。
【００６３】
また、制御部１１０は、ＩＰ網Ｉ／Ｆ１０２、電話網Ｉ／Ｆ１０４、ＬＡＮＩ／Ｆ１０７を通じて、使用中の通信回線や空いている通信回線を把握し、適切に回線交換を行うこともできるようにしている。また、制御部１１０は、把握した通信回線の使用状態等に応じて、ＬＡＮ２を通じて接続される電話端末毎に供給すべきＬＥＤ等の点灯、消灯を制御するための制御情報を形成する。当該制御情報は、ＬＡＮＩ／Ｆ１０７、接続端子１０８を通じてＬＡＮ２に送出され、各電話端末等に送信される。
【００６４】
このように、この実施の形態のＳＩＰサーバ１は、パケット分解／生成部１０３やアドレス管理ＤＢ１０６を備え、ＳＩＰサーバ１が接続される種々のネットワークに接続される端末間のメッセージの中継を行うことができるものである。また、ＳＩＰサーバ１は、ペアリング管理メモリ１０９を備え、携帯電話端末５が載置された載置装置４と、載置装置４に載置された携帯電話端末５とのペアリングを行って、これを管理する。そして、ペアリングした載置装置４と携帯電話端末５とにより形成される電話端末を自配下の電話端末として機能させるように、ＳＩＰサーバ１は、これら載置装置４と携帯電話端末５とを別々に制御することができるようにしている。
【００６５】
なお、図２において、パケット分解／生成部１０３は、独立した回路部分として示しているが、これに限るものではない。パケット分解／生成部１０３は、制御部１１０において実行されるプログラムにより、制御部１１０の機能として実現することももちろん可能である。
【００６６】
［載置装置４の構成例］
次に、この実施の形態の電話システムで用いられる載置装置４の構成について説明する。図５は、この実施の形態の電話システムの載置装置４の構成例を説明するためのブロック図である。
【００６７】
この実施の形態の載置装置４は、図５に示すように、ＬＡＮへの接続機能を実現するための部分として、ＬＡＮ接続端子４０１、ＬＡＮＩ／Ｆ４０２を備えると共に、パケット処理部４０３を備えている。また、載置装置４は、ユーザインターフェースを実現する部分として、通話音声入出力インターフェース（以下、通話音声入出力Ｉ／Ｆと略称する。）４０４、ハンドセット接続端子４０５、ハンドセット４０６、リンガ４０７、操作入力部４０８、操作入力Ｉ／Ｆ４０９を備えている。
【００６８】
ここで、ハンドセット４０６は、受話器（スピーカ）と送話器（マイクロホン）とが設けられ、通話時に用いられるものである。また、操作入力部４０８は、数字キー（いわゆるテンキー）、幾つかの記号キー、オフフックキーやオンフックキー等を含む種々のファンクションキー等を備え、ユーザからの操作入力を受け付けるものである。
【００６９】
さらに、載置装置４は、外部機器である携帯電話端末５との接続を実現する部分として、当該載置装置４の前面に端末載置部４１０が設けられている。この端末載置部４１０は、図１に示したように、携帯電話端末５を載置した場合にずれることがないように、携帯電話端末５の縦及び横の幅とほぼ同じ凹部（溝部）として設けられている。すなわち、端末載置部４１０は、図１に示したように、その左側、右側及び下側には側壁が設けられるようにされたものである。なお、当該凹部の上側は、携帯電話端末５の着脱を容易にするために側壁は設けられず開けられた状態になっている。
【００７０】
この端末載置部４１０には、後述する携帯電話端末５が載置された場合に、当該携帯電話端末５の充電端子と対応する部分に充電端子４１１が設けられている。そして、充電端子４１１には、接続検出部４１２と、充電電流供給回路４１３とが接続され、充電電流供給回路４１３には、ＡＣコンセント４１４が接続されている。また、載置装置４は、載置／取外し通知形成部４２１と、制御部４３０とを備えている。
【００７１】
制御部４３０は、この実施の形態の載置装置４の各部を制御するものであり、ＣＰＵ４３１、ＲＯＭ４３２、ＲＡＭ４３３、ＥＥＰＲＯＭ４３４が、ＣＰＵバス４３５を通じて接続されて構成されたマイクロコンピュータである。ＣＰＵ４３１は、ＲＯＭ４３２に記憶保持されているプログラムを読み出して実行し、各部に供給する制御信号を形成してこれを各部に供給したり、また、各部から供給されるデータを処理したりするものである。ＲＯＭ４３２は、上述のように、ＣＰＵ４３１で実行される種々のプログラムや処理に必要になる各種のデータが記憶保持されたものである。また、ＲＡＭ４３３は、処理の途中結果を一時記憶するなど、主に作業領域として用いられるものである。
【００７２】
また、ＥＥＰＲＯＭ４３４は、電源が落とされても保持しておくべきデータ、例えば、種々の設定パラメータや機能アップのために提供された新たなプログラムなどについても記憶保持することができるようにされている。なお、ＥＥＰＲＯＭ４３４は、載置装置４に対して予め設定される内線番号、ＩＰアドレス、ポート番号などからなる内線登録データについても記憶保持している。
【００７３】
ＬＡＮ接続端子４０１は、ＬＡＮへの接続端部を構成するものである。ＬＡＮＩ／Ｆ４０２は、ＬＡＮ２を通じて供給されるパケットを受け付けて、これを自機において処理可能な形式のパケットに変換して制御部４３０に供給する。また、ＬＡＮＩ／Ｆ４０２は、制御部４３０を通じて供給される送信すべきパケットを送信用の形式のパケットに変換して、これをＬＡＮ２に送出する。
【００７４】
パケット処理部４０３は、ＬＡＮ接続端子４０１及びＬＡＮＩ／Ｆ４０２を通じて受け付けたパケットの供給を受けて、これを分解処理し、当該パケットに含まれる制御データや音声データを抽出する。ここで抽出された制御データは制御部４３０に供給されて、自機の制御に用いられる。また、抽出された音声データは、制御部４３０を通じて後述する通話音声入出力Ｉ／Ｆ４０４に供給される。また、パケット処理部４０３は、制御部４３０を通じて供給される自機から送出すべきデータをパケット化して、これをＬＡＮＩ／Ｆ４０２及びＬＡＮ接続端子４０１を通じてＬＡＮ２に送出する。ここで、自機から送出するデータは、後述するハンドセット４０６により集音されるユーザの音声に応じた音声データ等である。
【００７５】
通信音声入出力Ｉ／Ｆ４０４は、パケット処理部４０３からの音声データから自機のハンドセット４０６の受話器（スピーカ）に供給するアナログ音声信号を形成し、これをハンドセット接続端子４０５を通じてハンドセット４０６の受話器に供給する。これにより、相手先から送信されてくる相手先の音声が、ハンドセット４０６の受話器から放音される。一方、ハンドセット４０６の送話器（マイクロホン）によって集音された音声は、ここで電気信号に変換され、ハンドセット接続端子４０５を通じて通信音声入出力Ｉ／Ｆ４０４に供給される。通信音声入出力Ｉ／Ｆ４０４は、ハンドセット４０６からの音声データをデジタル信号に変換するなどの処理を行って、これを上述もしたように制御部４３０を通じてパケット処理部４０３に供給する。
【００７６】
このように、ＬＡＮ接続端子４０１、ＬＡＮＩ／Ｆ４０２、パケット処理部４０３、通話音声入出力Ｉ／Ｆ４０４、ハンドセット接続端子４０５、ハンドセット４０６及び制御部４３０の機能により、目的とする相手先との間で通話音声を送受し、通話を行うようにすることができるようにしている。
【００７７】
充電端子４１１は、これに接続される携帯電話端末５に対して充電電流を供給するためのものである。そして、充電端子４１１には、接続検出部４１２と充電電流供給回路４１３が接続されている。接続検出部４１２は、充電端子４１１に携帯電話端末５が接続された場合に、充電端子４１１における電流変化などの電気的な変化を検出し、携帯電話端末５が接続された（載置された）ことを検出し、これを制御部４３０に通知する。これにより、制御部４３０は、充電端子４１１を通じて自機に携帯電話端末５が接続されたことを認識することができる。
【００７８】
充電電流供給回路４１３は、ＡＣコンセント４１４から送られてくる商用交流電圧から直流の充電電流を生成する。そして、充電電流供給回路４１３は、接続検出部４１２からの携帯電話端末５が載置装置４に接続された（載置された）ことの検知通知に基づく制御部４３０の制御により駆動状態に制御されて、充電電流を、充電端子４１１を通じて携帯電話端末５に供給するようにする。
【００７９】
載置／取外し通知形成部４２１は、接続検出部４１２からの携帯電話端末５が載置装置４に接続された（載置された）ことの検知通知に基づく制御部４３０の制御により、携帯電話端末５が載置されたことをＳＩＰサーバ１に通知するための載置通知を形成する。載置／取外し通知形成部４２１で形成された載置通知は、制御部４３０を通じてパケット処理部４０３に供給され、ここでパケット化された後、制御部４３０を通じてＬＡＮＩ／Ｆ４０２に供給さる。ＬＡＮＩ／Ｆ４０２では、制御部４３０からのパケット化された載置通知を、ＬＡＮ２に送出する形式の信号に変換し、これをＬＡＮ接続端子４０１を通じてＬＡＮ２に送出する。これにより、当該載置通知は、ＬＡＮ２を通じてＳＩＰサーバ１に送信される。
【００８０】
また、載置／取外し通知形成部４２１は、接続検出部４１２からの携帯電話端末５が載置装置４から取外されたことの検知通知に基づく制御部４３０の制御により、携帯電話端末５が取外されたことをＳＩＰサーバ１に通知するための取外し通知を形成する。載置／取外し通知形成部４２１で形成された取外し通知は、制御部４３０を通じてパケット処理部４０３に供給され、ここでパケット化された後、制御部４３０を通じてＬＡＮＩ／Ｆ４０２に供給さる。ＬＡＮＩ／Ｆ４０２では、制御部４３０からのパケット化された取外し通知を、ＬＡＮ２に送出する形式の信号に変換し、これをＬＡＮ接続端子４０１を通じてＬＡＮ２に送出する。これにより、当該載置通知は、ＬＡＮ２を通じてＳＩＰサーバ１に送信される。
【００８１】
このように、この実施の形態の載置装置４は、携帯電話端末５の載置／取外しが行われた場合に、これを検出してＳＩＰサーバ１に通知することができるようにしている。そして、ＳＩＰサーバ１において、後述もするように、当該載置装置４に載置された携帯電話端末５からの識別情報も用いられて、載置装置４と携帯電話端末５とのペアリングやその解除を管理することができるようにされる。なお、後述もするように、載置装置４から取外された携帯電話端末５から解除通知をＳＩＰサーバ１に送信する構成の場合には、載置／取外し通知形成部４２１において取外し通知を形成してＳＩＰサーバ１に送信する必要はない。
【００８２】
そして、載置装置４が、これに載置された携帯電話端末５と共に、ＳＩＰサーバ１の配下の電話端末となった場合には、載置装置４を通じて、目的とする相手先に電話を掛けたり、掛かってきた電話を受けたりすることができるようにされる。
【００８３】
なお、この実施の形態の載置装置４において、携帯電話端末５が載置された場合にＳＩＰサーバ１に送信される載置通知には、例えば、ＥＥＰＲＯＭ４３４に格納されている内線登録データも含められる。そして、載置装置４からの載置通知に含められる内線登録データは、当該載置装置４をＳＩＰサーバ１の配下の電話端末とするためのアドレス管理ＤＢ１０６へのアドレス登録にも用いることができるようにされる。
【００８４】
また、図５において、二重線で示した載置／取外し通知形成部４２１は、独立した回路部分として示しているが、制御部４３０において実行されるプログラムにより、制御部４３０の機能として実現することももちろん可能である。
【００８５】
［携帯電話端末５の構成例］
次に、この実施の形態の電話システムで用いられる携帯電話端末５の構成について説明する。図６は、この実施の形態の電話システムの携帯電話端末５の構成例を説明するためのブロック図である。
【００８６】
図６に示すように、この実施の形態の携帯電話端末５は、無線通信処理系として、送受信アンテナ５０１、電話通信部５０２、送受信信号処理部５０３、通話音声処理部５０４を備えている。通話音声処理部５０４には、受話アンプ５０５を通じて受話器（スピーカ）５０６が接続され、また、送話器（マイクロホン）５０７が、送話アンプ５０８を通じて接続されている。
【００８７】
また、携帯電話端末５は、携帯電話端末として機能するために必要な識別用情報であるＳＩＭカード情報を記憶保持するＳＩＭカード情報メモリ５１０を備えている。また、携帯電話端末５は、載置装置４に載置された場合や当該載置装置４からの取外された場合に、これをＳＩＰサーバ１に対して通知するようにするための識別情報／解除通知形成部５１１を備えている。
【００８８】
また、携帯電話端末５は、ユーザインターフェースを構成する部分として、操作入力部５２１、操作入力Ｉ／Ｆ５２２、ディスプレイコントローラ５２３、ディスプレイ５２４、リンガ５２５を備えている。ディスプレイ５２４は、この例では、ＬＣＤ（Liquid Crystal Display）であり、比較的に大きな表示画面を有するものである。この他、有機ＥＬディスプレイ（organic electroluminescence display）などのいわゆる薄型の表示素子を用いることもできる。なお、図示しないが、携帯電話端末５には、着信などを通知するためのバイブレータなども設けられている。さらに、携帯電話端末５は、充電端子５３１、接続検出部５３２、充電回路５３３、バッテリ５３４を備えると共に、携帯電話端末５の各部を制御する制御部５４０を備えている。また、携帯電話端末５は、無線ＬＡＮ用の送受信アンテナ５５１と、無線ＬＡＮ通信部５５２とを備えている。
【００８９】
制御部５４０は、ＣＰＵ５４１、ＲＯＭ５４２、ＲＡＭ５４３、ＥＥＰＲＯＭ５４４が、ＣＰＵバス５４５を通じて接続されて形成されたマイクロコンピュータである。ＣＰＵ５４１は、ＲＯＭ５４２に記憶されているプログラムを読み出して実行し、各部に供給する制御信号を形成して、これを各部に供給したり、各部から送信されてくるデータを受け付けて、これに応じた処理を実行したりする。ＲＯＭ５４２は、ＣＰＵ５４１において実行されるプログラムや処理に必要になる種々のデータが予め記録されたものである。
【００９０】
また、ＲＡＭ５４３は、処理の途中結果を一時記憶するなど、主に作業領域として用いられるものである。また、ＥＥＰＲＯＭ５４４は、いわゆる不揮発性メモリであり、携帯電話端末５の電源を落としても保持しておくべきデータ等が記憶保持される。ＥＥＰＲＯＭ５４４には、例えば、種々の設定パラメータ、アプリケーションプログラムや機能アップのための追加プログラム、電話帳データなどが記憶保持される。
【００９１】
そして、送受信アンテナ５０１は、携帯電話網との間でデータを送受する端部である。電話通信部５０２は、携帯電話網の基地局を通じて相手と通信をするためのものである。送受信信号処理部５０３は、制御部５４０の制御の下、電話通信部５０２を通じて受信した通信情報を解析して、呼制御メッセージや通話信号をデコードし、制御部５４０に供給すると共に、電話通信部５０２を通じて送信する送信信号を生成する。
【００９２】
通話音声処理部５０４は、制御部５４０の制御の下、送受信信号処理部５０３からの受話音声情報を、デジタル信号からアナログ信号に変換し、受話アンプ５０５に供給する。受話アンプ５０５に供給された受話音声信号は、ここで増幅された後に受話器５０６に供給されて音響再生される。通話音声処理部５０４は、また、送話器５０７で収音され、送話アンプ５０８で増幅された送話音声信号を、アナログ信号からデジタル信号に変換して、制御部５４０の制御の下、送受信信号処理部５０３に供給する。そして、上述したように、送受信信号処理部５０３は、通話音声処理部５０４からのデジタル化された送話音声信号から送信する送信信号を生成し、これを電話通信部５０２に供給して送信するようにする。
【００９３】
操作入力部５２１は、数字キー、オフフックキー、オンフックキー、その他の各種のファンクションキー等が設けられ、ユーザからの操作入力を受け付ける部分である。操作入力部５２１を通じて受け付けられたユーザからの操作入力は、操作入力Ｉ／Ｆ５２２において電気信号に変換されて、制御部５４０に通知される。これにより、制御部５４０が操作入力Ｉ／Ｆ５２２からの信号に応じて各部を制御し、ユーザの指示に応じた処理を行うことができるようにされる。
【００９４】
ディスプレイコントローラ５２３は、制御部５４０の制御に応じてディスプレイ５２４に情報を表示するための表示用信号を形成し、これをディスプレイ５２４に供給する。これによりディスプレイ５２４には、種々の情報が表示される。例えば、着信時においては、発信元の電話番号や名前、発信時においては、例えばＥＥＰＲＯＭ５４４の電話帳ＤＢに登録されている電話帳データ等が表示される。この他、待ち受け時においては、所定の待ち受け画面をディスプレイ５２４に表示したり、各種のエラーメッセージやガイダンスメッセージなども表示したりすることもできるようにされる。
【００９５】
充電端子５３１は、これを通じて接続される載置装置４からの充電電流の供給を受けるためのものである。そして、充電端子５３１には、接続検出部５３２と充電回路５３３とが接続されている。また、充電回路５３３には、バッテリ５３４が接続さえている。接続検出部５３２は、充電端子５３１を通じて載置装置４に接続された場合に、充電端子５３１における電流変化などの電気的な変化を検出し、載置装置４に接続された（載置された）ことを検出し、これを制御部５４０に通知する。これにより、制御部５４０は、充電端子５３１を通じて載置装置４に載置されたことを認識することができる。
【００９６】
充電回路５３３は、充電端子５３１を通じて載置装置４から送られてくる充電電流からバッテリ５３４に供給する電流を生成する。そして、充電回路５３３は、接続検出部５３２からの載置装置４に接続されたことの検知通知に基づく制御部５４０の制御により駆動状態に制御されて、充電用に生成した電流をバッテリ５３４に供給する。これにより携帯電話端末５のバッテリ５３４の充電が行われる。
【００９７】
送受信アンテナ５５１は、無線ＬＡＮへの接続端部を構成する。無線ＬＡＮ通信部５５２は、送受信アンテナ５５１を通じて受信したデータを自機において処理可能な形式のデータに変換し、これを制御部５４０に供給する。また、無線ＬＡＮ通信部５５２は、制御部５４０を通じて供給される無線ＬＡＮを通じて送信すべきデータを、無線ＬＡＮに送出する形式のデータに変換し、これを送受信アンテナ５５１を通じて無線ＬＡＮに送出し、目的とする相手先に送信するようにする。これら送受信アンテナ５５１と無線ＬＡＮ通信部５５２とにより、上述したＡＰ装置３への無線接続を可能にしている。
【００９８】
そして、この実施の形態の携帯電話端末５は、載置装置４に対して載置されている場合には、少なくとも携帯電話通信部５０２の機能を停止させて、携帯電話網を通じての通信はできないようにされる。そして、送受信アンテナ５５１、無線ＬＡＮ通信部５５２が機能するようにされ、近隣のＡＰ装置３を通じてＬＡＮ２に接続することができるようにさえる。
【００９９】
そして、識別情報／解除通知形成部５１１は、接続検出部５３２からの載置装置４に接続された（載置された）ことの検知通知に基づく制御部５４０の制御により、載置装置に載置されたことをＳＩＰサーバ１に通知するための識別情報（識別通知）を形成する。この識別情報が、携帯電話ＩＤや携帯電話番号などの情報を含むものである。識別情報／解除通知形成部５１１で形成された識別情報は、制御部５４０においてパケット化され、これが無線ＬＡＮ通信部５５２、送受信アンテナ５５１を通じて送信される。当該識別情報は、近隣のＡＰ装置３により受信され、ＬＡＮ２に送出される。これにより、当該識別情報は、ＬＡＮ２を通じてＳＩＰサーバ１に送信される。
【０１００】
このように、この実施の形態の携帯電話端末５は、載置装置４に載置された場合に、これを検出し、自機が載置装置４に載置されたことを通知するための自機の識別情報（識別通知）を形成し、これをＳＩＰサーバ１に対して提供することができるようにしている。当該識別情報は、ＳＩＰサーバ１において、上述した載置装置４からの載置通知と共に用いられて、当該携帯電話端末５とこれが載置された載置装置４とのペアリングとその管理を行うことができるようにされる。
【０１０１】
そして、携帯電話端末５は、自機が載置されている載置装置と共に、ＳＩＰサーバ１の配下の電話端末となった場合には、ＳＩＰサーバ１の制御の下、当該電話端末の表示器として用いられ、電話通信に関する種々の表示情報が表示するようにされる。
【０１０２】
また、識別情報／解除通知形成部５１１は、接続検出部５３２からの載置装置４から取外されたことの検知通知に基づく制御部５４０の制御により、載置装置から取外されたことをＳＩＰサーバ１に通知するための解除通知を形成する。この解除通知もまた、携帯電話ＩＤや携帯電話番号などの情報を含むものである。識別情報／解除通知形成部５１１で形成された識別情報は、制御部５４０においてパケット化され、これが無線ＬＡＮ通信部５５２、送受信アンテナ５５１を通じて送信される。当該解除通知は、近隣のＡＰ装置３により受信され、ＬＡＮ２に送出される。これにより、当該識別情報は、ＬＡＮ２を通じてＳＩＰサーバ１に送信される。
【０１０３】
このように、この実施の形態の携帯電話端末５は、載置装置４から取外された場合に、これを検出し、自機が載置装置４から取外されたことを通知するための携帯電話ＩＤや携帯電話番号を含む解除通知を形成し、これをＳＩＰサーバ１に対して提供することができるようにしている。当該解除通知は、ＳＩＰサーバ１において、ペアリングされている載置装置４とのペアリングの解除処理に用いられるようにされる。なお、載置装置４から取外し通知をＳＩＰサーバ１に対して行う場合には、識別情報／解除通知形成部５１１において、解除通知を形成して送信する必要はない。
【０１０４】
なお、図６において、二重線で示した識別情報／解除通知形成部５１１は、独立した回路部分として示しているが、これに限るものではない。識別情報／解除通知形成部５１１は、制御部５４０において実行されるプログラムにより、制御部５４０の機能として実現することももちろん可能である。
【０１０５】
［ＳＩＰサーバ１へのペアリング登録処理］
次に、この実施の形態の電話システムにおいて行われる載置装置４と携帯電話端末５とのＳＩＰサーバ１へのペアリング登録処理について説明する。図７は、ペアリング登録処理の一例を説明するためのシーケンス図である。ここでは、図７に示すように、載置装置内線番号が「１００」である載置装置４に対して、携帯電話ＩＤが「ＡＢＣ１２３」で携帯電話番号が「０９０…」である携帯電話端末５を載置する場合を例にして説明する。
【０１０６】
上述もしたように、載置装置４の載置部４１０に携帯電話端末５が載置されると、携帯電話端末５においては、接続検出部５３２の機能により載置装置４に載置されたことが検出され、これが携帯電話端末５の制御部５４０に通知される（ステップＳ１）。同様に、載置装置４においては接続検出部４１２の機能により携帯電話端末５が載置されたことが検出され、これが制御部４３０に通知される（ステップＳ２）。
【０１０７】
そして、載置装置４の制御部４３０は、載置／取外し通知形成部４２１を制御して、載置装置内線番号等からなる内線登録データを含むＳＩＰサーバ１宛の載置通知を形成する。そして、制御部４３０は、形成された載置通知を、パケット処理部４０３においてパケット化し、これをＬＡＮＩ／Ｆ４０２及びＬＡＮ端子４０１を通じてＬＡＮ２に送出して、ＳＩＰサーバ１に送信する（ステップＳ３）。
【０１０８】
一方、携帯電話端末５の制御部５４０は、識別情報／解除通知形成部５１１を制御して、携帯電話ＩＤ、携帯電話番号を含むＳＩＰサーバ１宛の識別情報（識別通知）を形成する。そして、制御部５４０は、形成された識別情報を、パケット化し、これを無線ＬＡＮ通信部５５２及び送受信アンテナ５５１を通じて無線送信する（ステップＳ４）。当該識別情報は、近隣のＡＰ装置３を通じてＬＡＮ２に送出され、ＳＩＰサーバ１に送信される。
【０１０９】
そして、ＳＩＰサーバ１においては、携帯電話端末５からの識別情報を正常に受信したときには、「受信ＯＫ」メッセージを形成し、これを送信元の携帯電話端末５に対して送信する（ステップＳ５）。これにより、送信元の携帯電話端末５は、自機からの識別情報が正常にＳＩＰサーバ１において受信されたことを認識することができる。なお、「受信ＮＧ」メッセージが送信されてきたり、所定時間内に「受信ＯＫ」メッセージが送信されてこなかったりした場合には、携帯電話端末５は、当該識別情報の再送信を行うなどの対応を取ることができるようにされる。
【０１１０】
この後、ＳＩＰサーバ１の制御部１１０は、まず、載置装置４からの載置通知の載置装置内線番号に基づいて、ペアリング管理メモリ１０９のペアリング管理ＴＢを更新する（ステップＳ６）。この場合、既に同じ載置装置内線番号のデータ（レコード）が存在する場合には、上書きされ、存在しない場合には追加登録される。なお、図７には示さないが、ステップＳ６においては、載置装置４からの載置通知に含まれる内線登録データに基づいてアドレス管理ＤＢ１０６に内線端末の登録が行われていなかった場合には、当該内線端末の登録処理も行われ、当該載置装置４がＳＩＰサーバ１の配下の電話端末となるようにされる。
【０１１１】
次に、ＳＩＰサーバ１の制御部１１０は、携帯電話端末５からの識別情報に基づいて、ペアリング管理メモリ１０９のペアリング管理ＴＢを更新する（ステップＳ７）。この場合、最新に上書き、あるいは追加登録されたペアリング管理ＴＢのデータ（レコード）の携帯電話ＩＤと携帯電話番号とが更新される共に、当該ペアリング管理テーブルのペアリング有無の欄がペアリング「有り」に更新される。また、この例の場合には、たとえば携帯電話端末５の設定情報に基づいて、転送有無設定も更新される。
【０１１２】
この後、ＳＩＰサーバ１は、正しくペアリング管理メモリ１０９のペアリング管理ＴＢの情報を更新できたか否かを確認し、問題がない場合には、動作ＯＫメッセージを形成し、これを携帯電話端末５に送信する（ステップＳ８）。この後、当該携帯電話端末５の制御部５４０は、少なくとも携帯電話通信部５０２を動作しないようにしたり、あるいは、ＳＩＭカード情報メモリ５１０にアクセスできないようにしたりするなどの対応を行い携帯電話機能をオフにする（ステップＳ９）。これにより、当該携帯電話端末５は、専ら送受信アンテナ５５１及び無線ＬＡＮ通信部５５２を用いて、ＳＩＰサーバ１からの主に表示情報を受信し、これを自機のディスプレイ５２４に表示する処理を行うようにされる。
【０１１３】
図８は、図７を用いて説明した場合のＳＩＰサーバ１のペアリング管理メモリ１０９のペアリング管理ＴＢの更新の状態の例を説明するための図である。図８（Ａ）は、載置装置内線番号が「１００」である載置装置４に対して、携帯電話ＩＤが「ＡＢＣ１２３」で携帯電話端末が「０９０…」である携帯電話端末５が載置される直前の当該載置装置４についてのペアリング管理ＴＢのデータ（レコード）の例を示している。
【０１１４】
図８（Ａ）の例は、載置装置内線番号が「１００」である載置装置４に対して、携帯電話ＩＤが「ＸＺ４５」で携帯電話端末が「０８０…」である携帯電話端末５が載置されていたが、当該携帯電話端末５は既に当該載置装置４から取外された状態を示している。そして、図７を用いて説明したように、載置装置内線番号が「１００」である載置装置４に対して、携帯電話ＩＤが「ＡＢＣ１２３」で携帯電話端末が「０９０…」である携帯電話端末５が載置されたとする。
【０１１５】
この場合、当該載置装置４からは、載置装置内線番号「１００」を示す情報等の内線登録データを含む載置通知がＳＩＰサーバ１に送信される。このため、ＳＩＰサーバ１は、載置装置内線番号が「１００」であるデータ（レコード）がペアリング管理ＴＢに既に存在しているので、ペアリング管理ＴＢの当該データ（レコード）の載置装置内線番号に値「１００」を上書きする共に、当該データのその他の情報（フィールド）をクリアする。
【０１１６】
さらに、当該載置装置４に載置された当該携帯電話端末５からは、携帯電話ＩＤ「ＡＢＣ１２３」、携帯電話端末「０９０…」等の情報を含む識別情報がＳＩＰサーバ１に送信される。このため、ＳＩＰサーバ１は、今回上書きした載置装置内線番号が「１００」であるペアリング管理ＴＢのデータ（レコード）の携帯電話ＩＤのフィールドに値「ＡＢＣ１２３」を格納し、携帯電話番号のフィールドに値「０９０…」を格納する。さらに、ＳＩＰサーバ１は、当該ペアリング管理ＴＢのレコードのペアリング有無のフィールドにペアリング「有り」を示す情報を更新する共に、この例の場合には当該携帯電話端末５からの識別情報に含まれる転送有無設定の情報に基づいて、転送有無設定のフィールドに転送「有り」を示す情報を更新する。
【０１１７】
これにより、図８（Ｂ）に示すように、図７を用いて示した処理により、載置装置内線番号が「１００」である載置装置４に対して、携帯電話ＩＤが「ＡＢＣ１２３」で携帯電話端末が「０９０…」である携帯電話端末５が載置されていることが管理される。すなわち、ＳＩＰサーバ１において、載置装置内線番号が「１００」である載置装置４と、携帯電話ＩＤが「ＡＢＣ１２３」で携帯電話端末が「０９０…」である携帯電話端末５とのペアリングが行われ、管理することができるようにされる。
【０１１８】
そして、詳しくは後述もするが、ペアリグされた載置装置４と携帯電話端末５とでＳＩＰサーバ１の配下の電話端末となる。そして、載置装置４のハンドセット４０６や操作入力部４０８を通じて、ユーザは電話を掛けたり、掛かってきた電話に応答したりすることができる。そして、このように電話通信を行う場合に必要となる情報の表示は、当該携帯電話端末５がＳＩＰサーバ１から直接に表示情報の提供を受けて、当該携帯電話端末５のディスプレイ５２４の表示画面に表示することができるようにされる。
【０１１９】
なお、図８（Ａ）に示したように、載置装置４からこれに載置された携帯電話端末５が取外された状態のペアリング管理ＴＢのレコードを残しておくようにしている。これは、当該載置装置４に対して新たに携帯電話端末５が載置されるまでの間において、当該載置装置４に対して掛かってきた電話を、当該載置装置４に載置されていた携帯電話端末５に対して転送することができるようにするためである。このため、ペアリング管理ＴＢには、図８（Ａ）、（Ｂ）に示したように、転送有無設定の欄（フィールド）が設けられているのである。
【０１２０】
［ＳＩＰサーバ１へのペアリング解除処理］
次に、図７、図８を用いて説明したように、ＳＩＰサーバ１においてペアリングされて管理するようにされている載置装置４と携帯電話端末５とのペアリングの解除処理について説明する。このペアリングの解除処理は、載置装置４からＳＩＰサーバ１に対して行う場合（ペアリング解除処理１）と、携帯電話端末５からＳＩＰサーバ１に対して行う場合（ペアリング解除処理２）とがある。以下、そのそれぞれの場合について説明する。なお、ここでは、図７、図８を用いて説明したように、載置装置内線番号が「１００」である載置装置４に載置された携帯電話ＩＤが「ＡＢＣ１２３」で携帯電話番号が「０９０…」である携帯電話端末５を、当該載置装置４から取外す場合を例にして説明する。
【０１２１】
図９は、ペアリング解除処理を説明するための図である。そして、図９（Ａ）は、載置装置４からＳＩＰサーバ１に対してペアリング解除処理を行う場合（ペアリング解除処理１）を説明するためのシーケンス図である。また、図９（Ｂ）は、携帯電話端末５からＳＩＰサーバ１に対してペアリング解除処理を行う場合（ペアリング解除処理２）を説明するためのシーケンス図である。そして、図９（Ｃ）は、図８（Ｂ）に示した状態から、図９（Ａ）、図９（Ｂ）の処理により更新されるペアリング管理ＴＢのデータの状態の例を説明するための図である。
【０１２２】
［ペアリング解除処理１］
まず、図９（Ａ）を参照しながら、載置装置４からＳＩＰサーバ１に対してペアリング解除処理を行う場合（ペアリング解除処理１）について説明する。載置装置４の載置部４１０に載置されている携帯電話端末５を、ユーザが載置部４１０から取外すようにしたとする（ステップＳ１１）。
【０１２３】
この場合、携帯電話端末５においては、上述もしたように、接続検出部５３２が充電端子５３１における電気変化に基づいて、載置装置４から取外されたことを検知し、これを制御部５４０に通知する（ステップＳ１２）。このため、制御部５４０は、携帯電話通信部５０２を機能させたり、ＳＩＭカード情報メモリ５１０のＳＩＭカード情報を利用可能にしたりするなどの処理を行って、オフ（動作停止）にしていた当該携帯電話端末５の携帯電話機能をオンにする（ステップＳ１３）。これにより、当該携帯電話端末５は、携帯電話網を通じて通信を行うことが可能な携帯電話端末に復帰する。
【０１２４】
一方、当該載置装置４においては、接続検出部４１２が充電端子４１１における電気変化に基づいて、自機に載置されている携帯電話端末５が取外されたことを検知し、これを制御部４３０に通知する（ステップＳ１４）。載置装置４の制御部４３０は、載置／取外し通知形成部４２１を制御し、自機の載置装置内線番号等の内線登録データを含むＳＩＰサーバ１宛の取外し通知を形成し、これをＳＩＰサーバ１に送信する（ステップＳ１５）。この場合、載置／取外し通知形成部４２１で形成された取外し通知は、制御部４３０を通じてパケット処理部４０３に供給されてパケット化された後、制御部４３０からＬＡＮＩ／Ｆ４０２及びＬＡＮ接続端子４０１を通じてＬＡＮ２に送出される。これにより、当該取外し通知は、載置装置４からＳＩＰサーバ１に送信される。
【０１２５】
そして、ＳＩＰサーバ１の制御部１１０は、接続端子１０８及びＬＡＮＩ／Ｆ１０７を通じて載置装置４からの取外し通知を受信する。この場合、ＳＩＰサーバ１の制御部１１０は、当該取外し通知の内線登録データの載置装置内線番号に基づいて、ペアリング登録メモリ１０９の該当するレコードのペアリング有無のフィールドをペアリング「有り」からペアリング「無し」に更新する（ステップＳ１６）。これにより、ＳＩＰサーバ１における当該載置装置４と携帯電話端末５とのペアリングが解除される。
【０１２６】
このように、ペアリング解除処理１の場合には、載置装置４から携帯電話端末５が取外されたことをＳＩＰサーバ１に通知し、ＳＩＰサーバ１で管理されている載置装置４と携帯電話端末５とのペアリングを解除することができるようにされる。
【０１２７】
［ペアリング解除処理２］
次に、図９（Ｂ）を参照しながら、携帯電話端末５からＳＩＰサーバ１に対してペアリング解除処理を行う場合（ペアリング解除処理２）について説明する。なお、図９（Ｂ）において、図９（Ａ）と同様に行われる処理には同じ参照符号（ステップ番号）を付し、その部分の説明については簡単に行う。
【０１２８】
このペアリング解除処理２の場合にも、図９（Ｂ）に示すように、載置装置４の載置部４１０に載置されている携帯電話端末５を、ユーザが載置部４１０から取外すようにしたとする（ステップＳ１１）。この場合、携帯電話端末５においては、接続検出部５３２が載置装置４から取外されたことを検知し、これを制御部５４０に通知する（ステップＳ１２）。そして、この例の場合、携帯電話端末５の制御部５４０は、識別情報／解除通知形成部５１１を制御し、携帯電話ＩＤや携帯電話番号などの識別情報を含むＳＩＰサーバ１宛の解除通知を形成し、これをＳＩＰサーバ１に送信する（ステップＳ１７）。この場合、識別情報／解除通知形成部５１１は、制御部５４０においてパケット化された後、無線ＬＡＮ通信部５５２、送受信アンテナ５５１を通じて無線送信される。これにより、当該解除通知は、近隣のＡＰ装置３により受信され、当該ＡＰ装置３を通じてＬＡＮ２に送出されて、ＳＩＰサーバ１に送信される。
【０１２９】
さらに、携帯電話端末５の制御部５４０は、携帯電話通信部５０２を機能させるなどの処理を行って、オフ（動作停止）にしていた当該携帯電話端末５の携帯電話機能をオンにする（ステップＳ１３）。これにより、当該携帯電話端末５は、携帯電話網を通じて通信を行うことが可能な携帯電話端末に復帰する。
【０１３０】
一方、ＳＩＰサーバ１の制御部１１０は、接続端子１０８及びＬＡＮＩ／Ｆ１０７を通じて載置装置４からの取外し通知を受信する。そして、制御部１１０は、当該取外し通知の内線登録データの載置装置内線番号に基づいて、ペアリング登録メモリ１０９の該当するレコードのペアリング有無のフィールドをペアリング「有り」からペアリング「無し」に更新する（ステップＳ１６）。これにより、ＳＩＰサーバ１における当該載置装置４と携帯電話端末５とのペアリングが解除される。
【０１３１】
なお、このペアリング解除処理２の場合には、載置装置４においては特に処理を行う必要は生じない。しかし、当該載置装置４の接続検出部４１２が、自機に載置されている携帯電話端末５が取外されたことを検知し、これを制御部４３０に通知した場合には、制御部４３０は、携帯電話端末５の新たな載置を受け付けることが可能な状態に遷移することができるようにされる。
【０１３２】
このように、ペアリング解除処理２の場合には、携帯電話端末５が載置装置４から取外されたことを、当該携帯電話端末５からＳＩＰサーバ１に通知し、ＳＩＰサーバ１で管理されている載置装置４と携帯電話端末５とのペアリングを解除することができるようにされる。なお、図９（Ａ）、（Ｂ）に示した処理は、両方行う必要はないので、いずれか一方を行うようにされることになる。
【０１３３】
［ペアリング管理ＴＢの更新］
そして、図９（Ａ）、（Ｂ）を用いて説明したペアリング解除処理１、２のいずれの場合にも、ＳＩＰサーバ１におけるペアリング管理メモリ１０９の更新処理は同様に行われる。すなわち、図８（Ｂ）と図９（Ｃ）とを比較すると分かるように、該当レコードのペアリング有無の欄（フィールド）が、ペアリング「有り」の状態からペアリング「無し」の状態に更新されることになる。
【０１３４】
［ペアリング済みでの発信時の処理（動作）］
次に、載置装置４に携帯電話端末５が載置され、図７、図８を用いて説明したように、当該載置装置４と携帯電話端末５とのペアリングがＳＩＰサーバ１において行われた後において、当該載置装置４側から発信する場合の処理について説明する。図１０は、ＳＩＰサーバ１においてペアリングされた載置装置４と携帯電話端末５とからなる電話端末から発信する場合の処理について説明するためのシーケンス図である。
【０１３５】
ペアリング済みの携帯電話端末５においては、制御部５４０及びディスプレイコントローラ５２３の機能により、ディスプレイ５２４の表示画面にアイドル表示がなされている（ステップＳ２１）。ここで、アイドル表示は、載置装置４と携帯電話端末５とからなる電話端末が利用可能な状態であるが、何の処理も行われていない状態にあることを示す表示である。アイドル表示としては、携帯電話端末５が備える時計回路（図示せず）が提供する現在時刻の表示やＳＩＰサーバ１から提供される載置装置４の載置装置内線番号の表示などが行われる。
【０１３６】
そして、載置装置４のハンドセット４０６を持ち上げるなどの所定のオフフック操作が載置装置４に対して行われたとする。載置装置４の制御部４３０は、オフフック操作されたことを検知すると、これを通知するＳＩＰサーバ１宛のメッセージを形成し、これをＬＡＮＩ／Ｆ４０２及びＬＡＮ接続端子４０１を通じてＬＡＮ２に送出し、ＳＩＰサーバ１に送信する（ステップＳ２２）。
【０１３７】
ＳＩＰサーバ１の制御部１１０は、載置装置４からのオフフック操作の通知メッセージをＬＡＮ接続端子１０８及びＬＡＮＩ／Ｆ１０７を通じて受信したとする。この場合、ＳＩＰサーバ１の制御部１１０は、自機と当該載置装置４との間の音声パス（通信路）を接続し、ダイヤルトーンを形成し、これをＬＡＮＩ／Ｆ１０７及びＬＡＮ接続端子１０８を通じてＬＡＮ２に送出して、当該載置装置４に送信する（ステップＳ２３）。なお、ダイヤルトーンは、オフフック操作を行ったユーザに対して、電話番号入力等に応じた選択信号を送信してもよいことを通知するための信号である。
【０１３８】
ステップＳ２２及びステップＳ２３の処理から分かるように、この実施の形態において、載置装置４とＳＩＰサーバ１との間においては、有線接続されているＬＡＮ２を通じて種々の情報の送受が行われる。そして、載置装置４は、ＳＩＰサーバ１からのダイヤルトーンを受信し、制御部４３０及び通話音声入出力Ｉ／Ｆ４０４を通じて、ハンドセット４０６の受話器からダイヤルトーンを放音する（ステップＳ２４）。
【０１３９】
また、ＳＩＰサーバ１は、自己のペアリング管理メモリ１０９の当該載置装置４に対応するデータ（レコード）基づき、当該載置装置４にペアリングされている携帯電話端末５を特定し、これにオフフック表示データを送信する（ステップＳ２５）。この場合、ＳＩＰサーバ１の制御部１１０は、当該携帯電話端末５宛のオフフック表示データを形成し、これをＬＡＮＩ／Ｆ１０７及びＬＡＮ接続端子１０８を通じてＬＡＮ２に送出する。当該オフフック表示データは、ＬＡＮ２を通じてＡＰ装置３に供給され、ＡＰ装置３から無線送信される。これにより、当該オフフック表示データは、ＡＰ装置３から携帯電話端末５に対して無線送信される。
【０１４０】
このように、携帯電話端末５とＳＩＰサーバ１との間においては、ＬＡＮ２を通じて接続されるが、少なくともその接続経路の一部には無線接続される経路を含んでいる。具体的には、携帯電話端末５とＡＰ装置３との間が無線接続されることになる。そして、携帯電話端末５においては、ＳＩＰサーバ１からのオフフック表示データに基づいて、自機のディスプレイ５２４の表示画面にオフフック画面表示を行う（ステップＳ２６）。具体的に、オフフック画面表示は、アイドル表示に替えて、例えば、電話機から受話器が外れた絵画像を表示するなど、載置装置４に対してオフフック操作がなされ、載置装置４がオフフック状態になっていることをユーザに通知するための表示がなされる。
【０１４１】
この後、載置装置４の制御部４３０は、操作入力部４０８を通じて、ユーザからの電話番号の入力を受け付け、受け付けた電話番号に応じた選択信号を形成し、これをＳＩＰサーバ１に送信する（ステップＳ２７）。電話番号に応じた選択信号を受信したＳＩＰサーバ１は、ダイヤルトーンの送信を停止する（ステップＳ２８）。次に、ＳＩＰサーバ１の制御部１１０は、受信した載置装置４からの電話番号に応じた選択信号に基づいて、ダイヤル表示データを形成し、これを当該載置装置４とペアリングされている携帯電話端末５に送信する（ステップＳ２９）。
【０１４２】
携帯電話端末５は、ＳＩＰサーバ１からのダイヤル表示データを受信すると、制御部５４０が、ディスプレイコントローラ４２３を制御して、当該ダイヤル表示データに応じて表示をディスプレイ５２４の表示画面に表示する（ステップＳ３０）。これにより、ユーザが載置装置４の操作入力部４０８を通じて入力した目的とする相手先の電話番号が、携帯電話端末５のディスプレイ５２４の表示画面に表示され、ユーザは自分が入力した相手先の電話番号を確認することができるようにされる。
【０１４３】
この後、ＳＩＰサーバ１の制御部１１０は、受信した相手先の電話番号に基づいて、目的とする相手先に対して発信信号を送信して、呼び出すようにする（ステップＳ３１）。具体的に、ＳＩＰサーバ１の制御部１１０は、載置装置からの相手先の電話番号が、ＩＰ網６に接続された相手先のものであるときには、相手先を特定する情報であるＵＲＩ等を含む発信信号を形成して、これをＩＰ網６に送出して相手先を呼び出すようにする。また、受信した相手先の電話番号が、電話網７に接続された相手先であるときには、相手先の電話番号を含む発信信号を形成して、これを電話網７に送出して相手先を呼び出すようにする。
【０１４４】
次に、ＳＩＰサーバ１は、ＲＢＴ（Ring Back Tone）を形成し、これを発信元の載置装置４に送信する（ステップＳ３２）。これにより、載置装置４においては、ステップＳ２４の場合と同様にして、ＲＢＴ（呼び出し音）がハンドセット４０６の受話器から放音される。これにより、載置装置４のユーザは、相手先の呼び出しが行われていることを認識することができる。なお、相手先が通話中である場合には、ＲＢＴに替えてビジートーンがＳＩＰサーバ１から提供され、相手先に該当がない場合には、該当がない旨のメッセージがＳＩＰサーバ１から提供するようにされる。
【０１４５】
そして、この例の場合には、電話を掛けた相手先のユーザが応答をする操作を行うことにより、当該相手先の電話端末から応答メッセージが返信されて来たとする（ステップＳ３３）。この場合、ＳＩＰサーバ１は、ＲＢＴの送信を終了し（ステップＳ３４）、載置装置４と当該相手先の電話端末との間に通信路を接続するようにして、通話を行うようにする（ステップＳ３５）。この後、ＳＩＰサーバ１の制御部１１０は、通話中表示データを形成し、これを当該載置装置４とペアリングされている携帯電話端末５に対して送信する（ステップＳ３６）。
【０１４６】
当該携帯電話端末５の制御部５４０は、ディスプレイコントローラ５２３を制御して、ＳＩＰサーバ１からの通話中表示データに応じた表示を自機のディスプレイ５２４の表示画面に行う（ステップＳ３７）。ここで、通話中表示データに応じた表示は、相手先の電話番号や「通話中」などの通話中であることを示す表示情報等からなるものである。また、ＳＩＰサーバ１方の通話中表示データに応じた表示に加えて、携帯電話端末５が備える時計回路の機能を用いて、通信路が接続され、通話が開始されてからの時間を計測して表示するようにするなどのことも可能である。
【０１４７】
この後、通話が終了し、載置装置４のユーザがハンドセット４０６を載置装置４におくなどの所定のオンフック操作が行われたとする。この場合、載置装置４の制御部４３０は、オンフック操作されたことを検知すると、これを通知するＳＩＰサーバ１宛のメッセージを形成し、ＳＩＰサーバ１に送信する（ステップＳ３８）。ＳＩＰサーバ１は、切断メッセージを形成し、これを通話の相手先に送信する（ステップＳ３９）。これにより、通話の相手先においてはハンドセットを電話端末に置くなどの終話する処理を行うことになる（ステップＳ４０）
そして、ＳＩＰサーバ１は、ビジートーンを形成し、これを載置装置４に送信する（ステップＳ４１）。これにより、載置装置４のハンドセット４０６の受話器からはビジートーンが放音するようにされる。これにより通信の相手先との通信路が切断されたことをユーザに通知することができるようにされる。さらに、ＳＩＰサーバ１の制御部１１０は、終話表示データを形成し、これを当該載置装置４とペアリングされている携帯電話端末５に送信する（ステップＳ４２）。
【０１４８】
当該携帯電話端末５の制御部５４０は、ディスプレイコントローラ５２３を制御して、ＳＩＰサーバ１からの集話表示データに応じた表示を自機のディスプレイ５２４の表示画面に行う（ステップＳ４３）。ここで、終話表示データに応じた表示は、例えば、「通話終了」や「オンフック」などの通話が終了した状態に遷移したことを示す表示情報等からなるものである。また、ＳＩＰサーバ１からの終話表示データに応じた表示に加えて、携帯電話端末５備える時計回路の機能を用いて、通話時間を計測している場合には、計測した通話時間を表示するなどのことも可能である。
【０１４９】
そして、ＳＩＰサーバ１は、当該載置装置４との間に形成した音声パスをオフにすると共に、ビジートーンの送信を停止する（ステップＳ４４）。これにより、載置装置４とＳＩＰサーバ１とが切断された状態になる。この後、ＳＩＰサーバ１の制御部４３０は、アイドル表示データを形成し、これを当該載置装置４にペアリングされている携帯電話端末５に送信する（ステップＳ４５）。
【０１５０】
当該携帯電話端末５の制御部５４０は、ディスプレイコントローラ５２３を制御して、ＳＩＰサーバ１からのアイドル表示データに応じた表示を自機のディスプレイ５２４の表示画面に行う（ステップＳ４６）。当該表示は、ステップＳ２１で説明した表示状態に戻るようにするものである。これにより、載置装置４と、これに載置された携帯電話端末５からなる電話端末は、アイドル状態（利用可能であり、何の処理も行われていない状態）に戻るようにされる。
【０１５１】
このようにして、ペアリングされた載置装置４と携帯電話端末５とかなる電話端末を通じて目的とする相手先に電話を掛けることができるようにされる。なお、電話を掛けた相手先において、先にオフフック操作がなされて、切断メッセージが送信されてきたときには、当該切断メッセージをＳＩＰサーバ１が受信した後に、ステップＳ４１〜ステップＳ４６の処理が行うようにされる。
【０１５２】
［ペアリング済みでの着信の処理（動作）］
次に、載置装置４に携帯電話端末５が載置され、図７、図８を用いて説明したように、当該載置装置４と携帯電話端末５とのペアリングがＳＩＰサーバ１において行われた後において、当該載置装置４に対して着信が発生した場合の処理について説明する。図１１は、ＳＩＰサーバ１においてペアリングされた載置装置４と携帯電話端末５とからなる電話端末に対して着信が発生した場合の処理について説明するためのシーケンス図である。なお、図１１において、図１０を用いて説明した処理と同様に行われる処理には、同じ参照符号（ステップ番号）を付し、その部分の説明は簡単に行う。
【０１５３】
また、相手先からの発信は、当該電話システムに割り当てられたいわゆる代表電話番号を用いて掛けられる場合と、目的とする内線番号の電話端末に対して個別着信となるように、内線番号も用いられて掛けられる場合とがある。ここでは、説明を簡単にするため、載置装置内線番号が「１００」である載置装置４に対して個別着信となるように電話が掛けられた場合を例にして説明する。
【０１５４】
図１０において説明したように、ペアリング済みの携帯電話端末５においては、制御部５４０及びディスプレイコントローラ５２３の機能により、ディスプレイ５２４の表示画面にアイドル表示がなされている（ステップＳ２１）。そして、図１１の左上端に示すように、ある相手先からこの実施の形態の電話システムの載置装置内線番号が「１００」である載置装置４に対して電話が掛けられ、当該発信メッセージがＳＩＰサーバ１に送信されたとする（ステップＳ５１）。
【０１５５】
ＳＩＰサーバ１は、当該発信メッセージを受信すると、当該載置装置４との間の音声パスをオンにすると共に、着信音の放音を指示する信号を形成して、ＬＡＮ２を通じて載置装置４に対して送信する（ステップＳ５２）。載置装置４の制御部４３０は、ＳＩＰサーバ１からの着信音の放音を指示する信号を受信すると、リンガ４０７を制御して着信音を放音させるようにする（ステップＳ５３）。
【０１５６】
この後、ＳＩＰサーバ１の制御部１１０は、当該載置装置４にペアリングされている携帯電話端末５に対して、着信表示データを形成し、ＬＡＮ２を通じて送信する（ステップＳ５４）。当該着信表示データは、発信元の電話番号や例えば「着信中」などの着信が発生していることを示す表示情報等からなるものである。当該着信表示データは、ＬＡＮ２及びＡＰ装置３を通じて、当該携帯電話端末５に送信される。そして、当該着信表示データを受信した携帯電話端末５の制御部５４０は、ディスプレイコントローラ５２３を制御して、受信した着信表示データに応じた着信表示をディスプレイ５２４の表示画面に表示するようにする（ステップＳ５５）。
【０１５７】
そして、載置装置内線番号１００の載置装置４のハンドセット４０６を取り上げるなど、当該載置装置１００に対して所定のオフフック操作がユーザによって行われたとする。この場合、載置装置４の制御部４３０は、オフフック操作が行われたことを通知するＳＩＰサーバ１宛のメッセージを形成し、これをＬＡＮ２を通じてＳＩＰサーバ１に送信する（ステップＳ５６）。当該通知を受信したＳＩＰサーバ１は、着信音の放音を指示する信号の載置装置４への送信を終了させる（ステップＳ５７）。これにより、載置装置４のリンガ４０７による着信音の放音も終了する。
【０１５８】
そして、ＳＩＰサーバ１は、応答メッセージを形成し、発信元の相手先の電話端末に送信する（ステップＳ５８）。これにより、発信元の相手先と載置装置４との間にＳＩＰサーバ１を通じて通信路が接続され、通話を行うことができるようにされる（ステップＳ５９）。この後、ＳＩＰサーバ１の制御部１１０は、通話中表示データを形成し、これを当該載置装置４とペアリングされている携帯電話端末５に対して送信する（ステップＳ６０）。当該携帯電話端末５の制御部５４０は、ディスプレイコントローラ５２３を制御して、ＳＩＰサーバ１からの通話中表示データに応じた表示を自機のディスプレイ５２４の表示画面に行う（ステップＳ６１）。これらステップＳ６０及びステップＳ６１の処理は、図１０に示したステップＳ３６及びステップＳ３７の処理と同様の処理である。
【０１５９】
この後、通話が終了し、載置装置４のユーザがハンドセット４０６を載置装置４におくなどの所定のオンフック操作が行われると、図１０を用いて説明したステップＳ３８〜ステップＳ４６の処理と同様の終話関連処理が行われ、載置装置４とこれに載置された携帯電話端末５とからなる電話端末は、アイドル状態に戻るようにされる。
【０１６０】
このようにして、ペアリングされた載置装置４と携帯電話端末５とかなる電話端末を通じて、当該載置装置４に掛かってきた電話に応答し、通話を行うことができるようにされる。なお、電話を掛けてきた相手先において、先にオフフック操作がなされて、切断メッセージが送信されてきたときには、当該切断メッセージをＳＩＰサーバ１が受信した後に、ステップＳ４１〜ステップＳ４６の処理が行うようにされる。
【０１６１】
また、相手先からの発信が、当該電話システムに割り当てられたいわゆる代表電話番号を用いて掛けられた場合、ＳＩＰサーバ１の配下の各載置装置４と各携帯電話端末５については、図１１のステップＳ５２〜ステップＳ５５の処理が行うようにされる。また、ＳＩＰサーバ１の配下の各ＩＰ電話機９に対しては、ＳＩＰサーバ１から着信メッセージが送信され、これに応じて着信音を放音する処理が行われる。
【０１６２】
そして、ＳＩＰサーバ１の配下のいずれかの電話端末を通じてオフフック操作が行われた場合には、その電話端末を通じて着信に対して応答し、通話を行うことができるようにされる。その他の電話端末に対しては、着信音の放音を停止するようにＳＩＰサーバ１が各電話端末を制御する。例えば、電話端末が載置装置４と携帯電話端末５とからなるものである場合、ＳＩＰサーバ１は、各載置装置４との間に接続した音声パスをオフにし、ステップＳ５７と同様に、着信音の放音をオフにする処理を行なう。また、当該載置装置４にペアリングされた携帯電話端末５に対しては、ＳＩＰサーバ１は、アイドル表示データを送信し、ディスプレイ４２４の表示をアイドル表示に戻すようにする。このようにして、この実施の形態の電話システムは、相手先からの発信が当該電話システムに割り当てられたいわゆる代表電話番号を用いて掛けられた場合にも対応することができる。
【０１６３】
［未ペアリング時の着信処理］
載置装置４と携帯電話端末５が未ペアリング状態にあるときには、携帯電話端末５を持ってユーザが外出している等、ユーザは載置装置４がある場所から離れている場合が多い。したがって、未ペアリング状態にあるときには、携帯電話端末５のユーザが載置装置４を通じて着信に応答することができない場合が多い。そこで、この実施の形態の電話システムにおいては、未ペアリング時においては、以下に説明するように、４つの処理の内のいずれかを用いることができるようにされる。
【０１６４】
以下、載置装置４と携帯電話端末５とが未ペアリング時にあるときに、当該載置装置４に着信が発生した場合に行うことが可能な処理について具体的に説明する。なお、以下に説明する未ペアリング時の着信処理は、図１１を説明した場合と同様に、載置装置内線番号が「１００」である載置装置４に対して個別着信となるように電話が掛けられた場合を例にして説明する。
【０１６５】
［未ペアリング時の着信処理１（留守番応答）］
まず、未ペアリング時の着信処理１として、留守番応答を行う場合について説明する。図１２は、未ペアリング時に載置装置４に着信が発生した場合に、留守番応答を行う処理について説明するためのシーケンス図である。
【０１６６】
図１２の左上端に示すように、ある相手先からこの実施の形態の電話システムの載置装置内線番号が「１００」である載置装置４に対して電話が掛けられ、当該発信メッセージがＳＩＰサーバ１に送信されたとする（ステップＳ１０１）。当該発信メッセージを受信したＳＩＰサーバ１の制御部１１０は、ペアリング管理メモリ１０９の載置装置内線番号が「１００」であるレコードを参照し、当該載置装置４には、携帯電話端末５が載置されているか否かを判別する（ステップＳ１０２）。このステップＳ１０２の判別処理は、着信先の載置装置４に携帯電話端末５が載置されているか否か（ペアリング済みか否か）を判別する処理である。
【０１６７】
ステップＳ１０２の判別処理において、着信先の載置装置４に携帯電話端末５が載置されていると判別したときには、ＳＩＰサーバ１等は、図１１を用いて説明した着信時の処理を実行することになる（ステップＳ１０３）。また、ステップＳ１０２の判別処理において、着信先の載置装置４に携帯電話端末５が載置されていない（未ペアリングである）と判別した時には、留守番応答処理を実行する（ステップＳ１０４）。
【０１６８】
このステップＳ１０４の留守番応答処理は、この実施の形態においては、ＳＩＰサーバ１が当該載置装置への着信に自動応答し、留守番応答メッセージ（音声メッセージ）を発信元に送信した後、当該発信元から送信されてくる音声メッセージを所定時間分録音する。録音した音声メッセージは、当該載置装置４宛ての留守番音声メッセージとしてＳＩＰサーバ１において記憶保持される。
【０１６９】
このようにして、ＳＩＰサーバ１に蓄積された留守番音声メッセージは、例えば、携帯電話端末５が載置された載置装置４の操作入力部４０８を通じて留守番メッセージの再生操作を行うことによって、載置装置４からＳＩＰサーバ１に再生を要求する。この場合、ＳＩＰサーバ１は、当該要求に応じて、自機が保持している当該載置装置４に対する留守番音声メッセージを読み出して、当該載置装置４に提供する。これにより、当該載置装置４を通じてユーザは当該留守番音声メッセージを聴取することができるようにされる。
【０１７０】
［未ペアリング時の着信処理２（ビジー応答）］
次に、未ペアリング時の着信処理２として、ビジー応答を行う場合について説明する。図１３は、未ペアリング時に載置装置４に着信が発生した場合に、いわゆるビジー応答を行う処理について説明するためのシーケンス図である。図１３において、図１２に示した処理と同様に行われる処理には同じ参照符号（ステップ番号）を付しその部分の詳細な説明については省略する。
【０１７１】
したがって、図１３に示したように、ステップＳ１０１〜ステップＳ１０３までの処理は、図１２を用いて説明した対応する処理と同様に行われる。そして、ステップＳ１０２の判別処理において、着信先の載置装置４に携帯電話端末５が載置されていない（未ペアリングである）と判別した時には、ビジートーン対応処理を実行する（ステップＳ２０１）。
【０１７２】
このステップＳ２０１のビジートーン対応処理は、この実施の形態においては、ＳＩＰサーバ１が発信元の電話端末に対してビジートーンを送信する処理である。当該ビジートーンによって、載置装置４のユーザが電話にでられないことを通知するようにする。これにより、載置装置４のユーザが電話にでられない状態にあるために後で掛け直すようにすることを発信元のユーザに促すようにし、発信元からオフフックしてもらうようにすることができる。そして、必要がある場合には、後で掛け直してもらうか、あるいは、携帯電話端末５に対して直接に携帯電話網を通じて電話を掛けてもらうようにすることが期待できる。
【０１７３】
なお、ビジートーンに替えて、当該着信にＳＩＰサーバ１が自動応答し、時間をずらしての掛け直しを要求したり、携帯電話端末５に直接に電話をかけることを要求する音声メッセージを送信したりすることも可能である。
【０１７４】
［未ペアリング時の着信処理３（転送有無に応じた処理）］
次に、未ペアリング時の着信処理３として、ペアリング管理メモリ１０９の転送有無設定に応じた処理を行う場合について説明する。図１４は、未ペアリング時に載置装置４に着信が発生した場合に、ペアリング管理メモリ１０９の転送有無設定をも考慮した処理を行う場合について説明するためのシーケンス図である。図１４において、図１２に示した処理と同様に行われる処理には同じ参照符号（ステップ番号）を付しその部分の詳細な説明については省略する。
【０１７５】
したがって、図１４に示したように、ステップＳ１０１〜ステップＳ１０３までの処理は、図１２を用いて説明した対応する処理と同様に行われる。ステップＳ１０２の判別処理において、着信先の載置装置４に携帯電話端末５が載置されていない（未ペアリングである）と判別した場合、ＳＩＰサーバ１の制御部１１０は、着信先の載置装置４について転送有無設定が転送有りか否を判別する（ステップＳ３０１）。
【０１７６】
ステップ３０１の判別処理は、制御部１１０が、ペアリング管理メモリ１０９の情報を参照し、着信先の載置装置４のレコードの転送有無設定のフィールドが「転送有り」を示す情報に設定されているか否かを判別する処理である。ステップＳ３０１の判別処理において、転送有無説定が転送有りではないと判別した場合には、制御部１１０は、例えば、図１２を用いて説明した留守番応答処理か、図１３を用いて説明したビジー応答処理を実行するようにする（ステップＳ３０２）。
【０１７７】
また、ステップＳ３０２の判別処理において、転送有無説定が転送有りであると判別した場合には、制御部１１０は、転送先に対して発信する処理を実行する（ステップＳ３０３）。このステップＳ３０３の処理は、まず、制御部１１０が、ペアリング管理メモリ１０９の当該載置装置４のレコード（内線番号が「１００」のレコード）の携帯電話番号のフィールドの情報を取得する処理を行う。次に、制御部１１０は、取得した携帯電話番号を含む発信メッセージを形成し、これを電話網Ｉ／Ｆ１０４及び電話網７への接続端子１０５を通じて電話網７に送出して、当該携帯電話端末５を呼び出すようにする処理を行う。
【０１７８】
そして、電話を掛けた相手先の携帯電話端末５から応答メッセージが送信されてきた場合には（ステップＳ３０４）、ＳＩＰサーバ１は、発信元である相手先の電話端末と、転送先である携帯電話端末５との間に通話パスを形成する（ステップＳ３０５）。これにより、発信元である相手先の電話端末と転送先である携帯電話端末５との間に通信路が接続され通話が行うようにされる（ステップＳ３０６）。なお、通話が終了した場合には、形成された通話パスはオフにされ、ＳＩＰサーバ１は、例えば、着信や発信などの他の処理の待機状態に遷移する。
【０１７９】
このように、この着信処理３の場合には、載置装置４への着信発生時には、ＳＩＰサーバ１の機能により、ペアリング管理メモリ１０９に転送を行うように設定されている場合に限って、直近にペアリングされていた携帯電話端末５に対して着信を転送する。これにより、携帯電話端末５のユーザのニーズに応じて、載置装置４への着信に対して、外出先等において、携帯電話端末５を通じて応答し、発信元の相手先と通話を行うようにすることができる。そして、基本的に、どの載置装置４に対してどの携帯電話端末５を載置するかを決めておくようにすれば、携帯電話端末５のユーザのニーズに応じて、発信元が目的とする相手先に対して電話をかけて通話を行うことが可能な機会を増やすようにすることができる。
【０１８０】
なお、ここでは、ペアリング管理メモリ１０９の情報に基づき、直近にペアリングされていた携帯電話端末５に対して着信を転送するようにしたが、これに限るものではない。例えば、載置装置４毎に予め決められた固定電話や携帯電話端末などの所定の転送先の電話番号を別途設定するようにしておき、必ずその所定の転送先に転送するようにすることも可能である。
【０１８１】
［未ペアリング時の着信処理４（無条件に携帯電話端末５に転送する処理）］
次に、未ペアリング時の着信処理４として、着信の発生した載置装置４に対して直近にペアリングされていた携帯電話端末５に対して着信の転送を行うように処理する場合について説明する。図１５は、未ペアリング時に載置装置４に着信が発生した場合に、当該載置装置４に対して直近にペアリングされていた携帯電話端末５に対して着信の転送を行うように処理する場合について説明するためのシーケンス図である。図１５においても、図１２に示した処理と同様に行われる処理には同じ参照符号（ステップ番号）を付しその部分の詳細な説明については省略する。
【０１８２】
したがって、図１５に示す処理においても、ステップＳ１０１〜ステップＳ１０３までの処理は、図１２を用いて説明した対応する処理と同様に行われる。ステップＳ１０２の判別処理において、着信先の載置装置４に携帯電話端末５が載置されていない（未ペアリングである）と判別した場合には、直近にペアリングされていた携帯電話端末５に対して着信の転送を行うようにする（ステップＳ４０１）。
【０１８３】
このステップＳ４０１の処理は、ＳＩＰサーバ１の制御部１１０が、ペアリング管理メモリ１０９の情報を参照し、当該載置装置４に対して直近にペアリングされていた携帯電話端末の携帯電話番号を用いて発信を行う処理である。当該発信に応じて、直近にペアリングされていた携帯電話ＩＤが「ＡＢＣ１２３」の携帯電話端末５から応答メッセージがＳＩＰサーバ１に送信されてきたとする（ステップＳ４０２）。この場合、ＳＩＰサーバ１の制御部１１０は、発信元である相手先の電話端末と、転送先である携帯電話端末５との間に通話パスを形成する（ステップＳ４０３）。
【０１８４】
これにより、発信元である相手先の電話端末と転送先である携帯電話端末５との間に通信路が接続され通話が行うようにされる（ステップＳ４０４）。なお、通話が終了した場合には、形成された通話パスはオフにされ、ＳＩＰサーバ１は、例えば、着信や発信などの他の処理の待機状態に遷移する。
【０１８５】
このように、この着信処理４の場合には、載置装置４への着信発生時には、ＳＩＰサーバ１の機能により、ペアリング管理メモリ１０９の情報に基づいて、必ず直近にペアリングされていた携帯電話端末５に対して着信を転送するようにすることができる。これにより、載置装置４への着信を、外出先等において、携帯電話端末５を通じて応答し、発信元の相手先と通話を行うようにすることができる。そして、どの載置装置４に対してどの携帯電話端末５を載置するかを決めておくようにすれば、発信元は確実に目的とする相手先に対して電話をかけて通話を行うようにすることができる。
【０１８６】
［ＳＩＰサーバ１への複数のペアリング登録処理］
次に、ＳＩＰサーバ１への複数のペアリング登録処理について説明する。図１６、図１７は、ＳＩＰサーバ１への複数のペアリング登録処理について説明するためのシーケンス図である。ここでは、図１６、図１７に示すように、ＳＩＰサーバ１に対して、ＬＡＮ２を通じて載置装置４（１）、４（２）が接続され、これらに対して、ほぼ同時に携帯電話端末５（１）、５（２）が載置するようにされた場合を例にして説明する。
【０１８７】
この例の場合、載置装置内線番号が「１００」である載置装置４（１）には、携帯電話ＩＤが「ＡＢＣ１２３」である携帯電話端末５（１）が載置されるものとする。また、載置装置内線番号が「１０２」である載置装置４（２）には、携帯電話ＩＤが「ＧＨＪ１２３」である携帯電話端末５（２）が載置されるものとする。
【０１８８】
なお、この例において、載置装置４（１）、４（２）は共に図５を用いて説明した構成を有し、携帯電話端末５（１）、５（２）は共に図６を用いて説明した構成を有するものである。
【０１８９】
そして、図１６に示すように、ほぼ同じタイミングで、携帯電話端末５（１）が載置装置４（１）に載置され（ステップＳ５０１）、携帯電話端末５（２）が載置装置４（２）に載置されたとする（ステップＳ５０５）。載置装置４（１）では制御部４３０が携帯電話端末５（１）の載置を接続検出部４１２を通じて検出すると（ステップＳ５０２）、載置／取外し通知形成部４２１を制御して載置通知を形成し、これをＬＡＮ２を通じてＳＩＰサーバ１に送信する（ステップＳ５０３）。同様に、載置装置４（２）では制御部４３０が携帯電話端末５（２）の載置を接続検出部４１２を通じて検出すると（ステップＳ５０６）、載置／取外し通知形成部４２１を制御して載置通知を形成し、これをＬＡＮ２を通じてＳＩＰサーバ１に送信する（ステップＳ５０７）。
【０１９０】
ＳＩＰサーバ１では、制御部１１０が、載置装置４（１）、４（２）からの載置通知に基づいて、自己のペアリング管理メモリ１０９の更新処理（該当レコードの更新、あるいは、該当レコードの追加）を行う（ステップＳ５０４、ステップＳ５０８）。
【０１９１】
一方、携帯電話端末５（１）において、制御部５４０が載置装置４（１）への載置を接続検出部５３２を通じて検出したとする（ステップＳ５０９）。この場合、制御部５４０は識別情報／解除通知形成部５１１を制御して識別情報（識別通知）を形成し、これを無線ＬＡＮ通信部５５２及び送受信アンテナ５５１を通じて無線送信し、ＡＰ装置３及びＬＡＮ２を通じてＳＩＰサーバ１に送信する（ステップＳ５１１）。ここで、識別情報は、上述もしたように、携帯電話ＩＤと携帯電話番号とを含むものである。
【０１９２】
同様に、携帯電話端末５（２）において、制御部５４０が載置装置４（２）への載置を接続検出部５３２を通じて検出したとする（ステップＳ５１０）。この場合、制御部５４０は識別情報／解除通知形成部５１１を制御して識別情報（識別通知）を形成し、これを無線ＬＡＮ通信部５５２及び送受信アンテナ５５１を通じて無線送信し、ＡＰ装置３及びＬＡＮ２を通じてＳＩＰサーバ１に送信する（ステップＳ５１２）。
【０１９３】
この場合、ＳＩＰサーバ１には、載置装置４（１）、４（２）からの２つの載置通知と、携帯電話端末５（１）、５（２）からの２つの識別情報が存在し、どの載置装置とどの携帯電話端末とをペアリングすべきかを判別することができない。このように、ＳＩＰサーバ１において、載置装置４からの載置通知と、携帯電話端末５からの識別情報との一方または両方が複数存在する場合には、正確にペアリングを行うことができない。
【０１９４】
そこで、ＳＩＰサーバ１は、ステップＳ５０４、ステップＳ５０８で行ったペアリング管理メモリ１０９への更新を取り消す処理を行う（ステップＳ５１３）。この後、ＳＩＰサーバ１は、載置のリトライ要求を形成し、これを受信した携帯電話端末５（１）、５（２）からの識別情報に基づいて、ＬＡＮ２、ＡＰ装置３を通じて携帯電話端末５（１）、５（２）に対して送信する（ステップＳ５１４、ステップＳ５１５）。このステップＳ５１４、５１５のリトライ要求に応じて、携帯電話端末５（１）、５（２）のそれぞれでは、載置装置への置き直しを促す表示メッセージをディスプレイ５２４に表示したり、報知音を放音したりするなどの報知処理を行う。
【０１９５】
これに応じて、まず、携帯電話端末５（１）のユーザが、携帯電話端末５（１）を載置装置４（１）へ置き直すようにする操作を行ったとする（ステップＳ５１６）。これに応じて、載置装置４（１）において、制御部４３０が携帯電話端末５（１）の載置を接続検出部４１２を通じて検出すると（ステップＳ５１７）、載置／取外し通知形成部４２１を制御して載置通知を形成し、これをＬＡＮ２を通じてＳＩＰサーバ１に送信する（ステップＳ５１８）。ＳＩＰサーバ１では、載置装置４（１）からの載置通知に基づいて、自己のペアリング管理メモリ１０９の更新処理（該当レコードの更新、あるいは、該当レコードの追加）を行う（ステップＳ５１９）。
【０１９６】
一方、携帯電話端末５（１）において、制御部５４０が載置装置４（１）への載置を接続検出部５３２を通じて検出したとする（ステップＳ５２０）。この場合、図１７の処理に進み、制御部５４０が識別情報／解除通知形成部５１１を制御して識別情報（識別通知）を形成し、これを無線ＬＡＮ通信部５５２及び送受信アンテナ５５１を通じて無線送信し、ＡＰ装置３及びＬＡＮ２を通じてＳＩＰサーバ１に送信する（ステップＳ５２１）。
【０１９７】
この場合、ＳＩＰサーバ１には、載置装置４（１）からの載置通知と、携帯電話端末５（１）からの識別情報しか存在しない。そこで、ＳＩＰサーバ１は、識別情報を正常に受信したことを示す受信ＯＫメッセージを形成し、これを携帯電話端末５（１）に対して送信する（ステップＳ５２２）。そして、ＳＩＰサーバ１は、携帯電話端末５（１）からの識別情報を用いて、ペアリング管理メモリ１０９に対してペアリング登録を行う（ステップＳ５２３）。このステップＳ５２３の処理は、ペアリング管理メモリ１０９の載置装置４（１）についてのレコードの携帯電話ＩＤと携帯電話番号とペアリング有無のフィールドを更新すると共に、情報が存在する場合には転送有無設定のフィールドの更新も行うものである。
【０１９８】
この後、ＳＩＰサーバ１において、ペアリング管理メモリ１０９へのペアリング登録が正常に終了した場合には、ＳＩＰサーバ１は、動作ＯＫメッセージを形成し、これをＬＡＮ２及びＡＰ装置３を通じて携帯電話端末５（１）に送信する（ステップＳ５２４）。これにより、携帯電話端末５（１）においては、載置装置４（１）と自機とのペアリングが正常に終了したことを認識することができるので、携帯電話網を通じての通信を行えないように携帯電話機能をオフにする（ステップＳ５２５）。
【０１９９】
次に、ＳＩＰサーバ１からのリトライ要求に応じて、携帯電話端末５（２）のユーザが、携帯電話端末５（２）を載置装置４（２）へ置き直すようにする操作を行ったとする（ステップＳ５２６）。これに応じて、載置装置４（２）において、制御部４３０が携帯電話端末５（２）の載置を接続検出部４１２を通じて検出すると（ステップＳ５２７）。この場合、制御部４３０が載置／取外し通知形成部４２１を制御して載置通知を形成し、これをＬＡＮ２を通じてＳＩＰサーバ１に送信する（ステップＳ５２８）。ＳＩＰサーバ１では、載置装置４（２）からの載置通知に基づいて、自己のペアリング管理メモリ１０９の更新処理（該当レコードの更新、あるいは、該当レコードの追加）を行う（ステップＳ５２９）。
【０２００】
一方、携帯電話端末５（２）において、制御部５４０が載置装置４（２）への載置を接続検出部５３２を通じて検出したとする（ステップＳ５３０）。この場合、制御部５４０は識別情報／解除通知形成部５１１を制御して識別情報（識別通知）を形成し、これを無線ＬＡＮ通信部５５２及び送受信アンテナ５５１を通じて無線送信し、ＡＰ装置３及びＬＡＮ２を通じてＳＩＰサーバ１に送信する（ステップＳ５３１）。
【０２０１】
この場合、ＳＩＰサーバ１には、載置装置４（２）からの載置通知と、携帯電話端末５（２）からの識別情報しか存在しない。そこで、ＳＩＰサーバ１は、識別情報を正常に受信したことを示す受信ＯＫメッセージを形成し、これを携帯電話端末５（２）に対して送信する（ステップＳ５３２）。そして、ＳＩＰサーバ１は、携帯電話端末５（２）からの識別情報を用いて、ペアリング管理メモリ１０９に対してペアリング登録を行う（ステップＳ５３３）。このステップＳ５３３の処理は、ペアリング管理メモリ１０９の載置装置４（２）についてのレコードの携帯電話ＩＤと携帯電話番号とペアリング有無のフィールドを更新すると共に、情報が存在する場合には転送有無設定のフィールドの更新も行うものである。
【０２０２】
この後、ＳＩＰサーバ１において、ペアリング管理メモリ１０９へのペアリング登録が正常に終了した場合には、ＳＩＰサーバ１は、動作ＯＫメッセージを形成し、これをＬＡＮ２及びＡＰ装置３を通じて携帯電話端末５（２）に送信する（ステップＳ５３４）。これにより、携帯電話端末５（２）においては、載置装置４（２）と自機とのペアリングが正常に終了したことを認識することができるので、携帯電話網を通じての通信を行えないように携帯電話機能をオフにする（ステップＳ５３５）。
【０２０３】
なお、ステップＳ５２３やステップＳ５３３のペアリング登録処理が正常に終了しなかった場合など、ペアリング登録が正常に行えなかった場合には、載置装置４と携帯電話端末５とがＳＩＰサーバ１の配下の電話端末として動作することができない。この場合には、図１７のステップＳ５３６、ステップＳ５３７に示すように、ＳＩＰサーバ１の制御部１１０は、動作ＮＧメッセージを形成し、これを識別情報の送信元の携帯電話端末５に対して送信する。これにより、動作ＮＧメッセージを受信した携帯電話端末５は、正常に動作できないことをユーザに通知するようにし、載置装置４への置き直しなどの適切な対応を取ることができるようにされる。
【０２０４】
このようにして、この実施の形態の電話システムの場合には、複数の載置装置４がＳＩＰサーバ１に接続されている場合に、これら複数の載置装置４に対して対応する携帯電話端末５が同時に載置された場合であっても、適切にペアリングを行うことができる。なお、ここでは、２つの載置装置４（１）、４（２）、２つの携帯電話端末５（１）、５（２）が存在する場合を例にして説明した。しかし、載置装置４や携帯電話端末５がさらに多く存在し、複数の載置装置からの載置通知や複数の携帯電話端末からの識別情報がＳＩＰサーバ１に存在する場合にも、基本的には、図１６、図１７を用いて説明したように、最載置を携帯電話端末５に要求し、載置装置への載置のタイミングをずらすようにして、載置装置４と携帯電話端末５のペアリングを適切に行うようすることができる。
【０２０５】
［実施の形態の効果］
上述したように、この実施の形態の電話システムは、載置装置４に対して携帯電話端末５が載置された場合に、これらの機器のペアリングをＳＩＰサーバ１において行うことができる。そして、ＳＩＰサーバ１が、載置装置４と携帯電話端末５とを別々に制御し、これら載置装置４とこれに載置された携帯電話端末５とにより、ＳＩＰサーバ１の配下の電話端末として機能することができるようにされる。
【０２０６】
そして、載置装置４はハンドセット４０６、操作入力部４０８を備え、ユーザによって直接に使用、操作される電話本体部として機能し、携帯電話端末５は電話端末の表示器として機能することができるようにされる。しかも、制御はＳＩＰサーバ１により行われるので、載置装置４や携帯電話端末５の機能を強化するなどの必要もない。
【０２０７】
したがって、携帯電話端末５を会社内にいるときには、会社内に形成された電話システムに接続された電話端末の表示器として用い、外出先などでは携帯電話端末として用いることができるので、携帯電話端末５を有効に活用することができる。
【０２０８】
［この発明の方法、プログラム］
なお、上述した実施の形態において、主に、図７、図１０、図１１、図１６、図１７のシーケンス図を用いて説明した電話システムの処理が、この発明による方法が適用されて実現されたものである。また、図７、図１０、図１１、図１６、図１７のシーケンス図を用いて説明したＳＩＰサーバ１で実行すべき処理を実行するようにするプログラムを形成し、これをＳＩＰサーバ１の制御部１１０で実行するようにＳＩＰサーバ１に搭載することにより、この発明のＳＩＰサーバを実現することができる。
【０２０９】
同様に、図７、図１０、図１１、図１６、図１７のシーケンス図を用いて説明した載置装置４で実行すべき処理を実行するようにするプログラムを形成し、これを載置装置４の制御部４３０で実行するように載置装置４に搭載することにより、この発明の載置装置を実現することができる。同様に、図７、図１０、図１１、図１６、図１７のシーケンス図を用いて説明した携帯電話端末５で実行すべき処理を実行するようにするプログラムを形成し、これを携帯電話端末５の制御部５４０で実行するように携帯電話端末５に搭載することにより、この発明の載置装置を実現することができる。
【０２１０】
［実施の形態の装置や回路部と、請求項の装置や手段との対応］
また、上述した実施の形態からも明らかなように、ＳＩＰサーバ１が交換装置としての機能を実現し、載置装置４が載置装置としての機能を実現し、携帯電話端末５が携帯端末としての機能を実現している。
【０２１１】
そして、載置装置４のハンドセット４０６が受話器及び送話器としての機能を実現し、操作入力部４０８が操作入力手段としての機能を実現し、接続検出部４１２と制御部４３０が協働して検出手段としての機能を実現している。また、載置装置４の載置／取外し通知形成部４２１、制御部４３０、ＬＡＮＩ／Ｆ４０２が協働して、載置通知送信処理手段を実現している。また、載置装置４の制御部４３０、ＬＡＮＩ／Ｆ４０２が協働して、送信処理手段を実現し、通話音声入出力Ｉ／Ｆ４０４、制御部４３０、ＬＡＮＩ／Ｆ４０２が協働して、通話信号処理手段としての機能を実現している。制御部４３０、ＬＡＮＩ／Ｆ４０２が協働して、取外し通知手段としての機能を実現している。
【０２１２】
また、携帯電話端末５のディスプレイ５２４が表示素子としての機能を実現し、接続検出部５３２が、載置検出手段、取外し検出手段としての機能を実現している。また、携帯電話端末５の識別情報／解除通知形成部５１１、制御部５４０、無線ＬＡＮ通信部５５２が協働して、識別情報送信処理手段、端末取外し通知手段としての機能を実現している。また、携帯電話端末５の送受信アンテナ５５１、無線ＬＡＮ通信部５５２、制御部５４０が協働して、表示情報受信手段としての機能を実現し、制御部５４０、ディスプレイコントローラ５２３が協働して、表示制御手段としての機能を実現している。
【０２１３】
また、ＳＩＰサーバ１のＬＡＮ接続端子１０８、ＬＡＮＩ／Ｆ１０７、制御部１１０が協働して、載置通知受信手段、識別情報受信手段、取外し通知受信手段、端末取り外し通知手段としての機能を実現し、制御部１１０とペアリング管理メモリ１０９が協働して管理手段としての機能を実現している。また、ＳＩＰサーバ１のＬＡＮ接続端子１０８、ＬＡＮＩ／Ｆ１０７、制御部１１０が協働して、制御信号受信処理手段、制御信号送信処理手段、表示情報送信処理手段、再載置要求手段の各機能を実現している。さらに、ＳＩＰサーバ１の主に制御部１１０、パケット分解／生成部１０３、ＩＰ網Ｉ／Ｆ１０２、電話網Ｉ／Ｆ１０４、ＬＡＮＩ／Ｆ１０７が機能して、通話信号中継手段としての機能を実現している。
【０２１４】
［その他］
また、上述した実施の形態においては、ＩＰ電話システムにこの発明を適用した場合を例にして説明したが、これに限るものではない。ＳＩＰサーバ１の代わりに主装置を用いて構成するボタン電話システムにもこの発明を適用することができる。
【０２１５】
また、上述した実施の形態においては、ＳＩＰサーバ１と携帯電話端末５とは、一部に無線通信路を含む通信路を通じて接続されるものとして説明したが、これに限るものではない。ＳＩＰサーバ１と携帯電話端末５とは直接に無線通信を行うようにしてもよい。
【０２１６】
また、ＳＩＰサーバ１と載置装置４とを一部に無線通信路を含む通信路により、あるいは、直接に無線通信路により接続することもできる。しかし、ＳＩＰサーバ１と載置装置４とを有線接続することにより、無線通信の場合に比べて、通話音声を確実かつ高品位に送受するようにすることができる。
【０２１７】
また、例えば、載置装置４やＳＩＰサーバ１に、当該電話システムの接続可能な携帯電話端末５の携帯電話ＩＤや携帯電話番号の一覧リストを用意しておき、ペアリング時において、当該電話システムに接続可能なものか否かを判別する。そして、当該一覧リストになく、接続不能な携帯電話端末５の接続を排除することにより、部外者の当該電話システムの利用を不能にすることが可能である。
【０２１８】
また、各機器を無線接続する場合には、例えば、ブルートゥース（Bluetooth）規格などの種々の近距離無線通信インターフェースやＩｒＤＡ（Infrared Data Association）規格の赤外線による光無線データ通信インターフェースなどにより接続することも可能である。
【０２１９】
また、携帯電話端末５としては、従来の携帯電話端末の他、スマートホンなどと呼ばれる高機能携帯電話端末を用いることもできる。また、携帯電話端末ではなく、パッド型情報端末あるいはタブレット型情報端末などと呼ばれる端末装置を、携帯電話端末に替えて用いるようにすることも可能である。すなわち、交換装置と直接に通信を行うことが可能な機能と、携帯電話網を通じて通信を行うことが可能な機能とを備えた種々の端末装置（通信機器）を、この発明の電話システムの携帯電話端末の替りに用いることも可能である。
【０２２０】
このように、種々の携帯端末を用いる場合であっても、当該携帯端末が載置装置に載置された場合には、当該携帯端末の本来の機能を停止させ、当該電話端末の表示素子としてのみ機能させるようにすればよい。なお、携帯端末の本来の機能は、例えば、携帯端末が電子ブックリーダーである場合には、電子ブックデータを表示させる機能であり、パット型情報端末である場合には、例えば、インターネットにアクセスして情報の送受を行ったり、自機内に保持しているデータを表示したりするなど、そのパッド型情報端末の元々の用途を実現するための本来の機能を意味する。換言すれば、携帯端末としての本来の機能とは、携帯端末が、単独で実現することができる機能を意味する。
【０２２１】
また、携帯電話端末５の操作入力部５２１は、表示画面に表示される表示情報と当該表示画面に貼付されるタッチパネルとにより実現されるいわゆるソフトウェアキーボードの構成とされる場合もある。すなわち、端末装置の操作部は、ハードウェアキーとしても、ソフトウェアキーとしても実現可能である。
【０２２２】
また、上述した実施の形態においては、載置装置４、携帯電話端末５においては、載置の検出を充電端子における電気変化を検出して行うものとして説明したが、これに限るものではない。例えば、載置装置４、携帯電話端末５のそれぞれにおいて、載置時にはオンとなり、載置されていないときにはオフとなるスイッチを設ける、これにより検出するようにしてもよい。また、ユーザが載置時において、載置装置４と携帯電話端末５のそれぞれに対して、載置されたことを入力するようにしてもよい。その他にも、載置装置４と携帯電話端末５のそれぞれにおいて、載置／取外しの検出が可能な種々の方法、方式を用いるようにすることができる。
【符号の説明】
【０２２３】
１…ＳＩＰサーバ、１０１…ＩＰ網への接続端子、１０２…ＩＰ網Ｉ／Ｆ、１０３…パケット分解／生成部、１０４…電話網Ｉ／Ｆ、１０５…電話網への接続端子、１０６…アドレス管理ＤＢ、１０７…ＬＡＮＩ／Ｆ、１０８…ＬＡＮへの接続端子、１０９…ペアリング管理メモリ、１１０…制御部、２…ＬＡＮ、３…ＡＰ装置、４…載置装置、４０１…ＬＡＮ接続端子、４０２…ＬＡＮＩ／Ｆ、４０３…パケット処理部、４０４…通話音声入出力Ｉ／Ｆ、４０５…ハンドセット接続端子、４０６…ハンドセット、４０７…リンガ、４０８…操作入力部、４０９…操作入力Ｉ／Ｆ、４１０…端末載置部、４１１…充電端子、４１２…接続検出部、４１３…充電電流供給回路、４１４…ＡＣコンセント、４２１…載置／取外し通知形成部、４３０…制御部、５…携帯電話端末、５０１…送受信アンテナ、５０２…電話通信部、５０３…送受信信号処理部、５０４…通話音声処理部、５０５…受話アンプ、５０６…受話器、５０７…送話器、５０８…送話アンプ、５１０…ＳＩＭカード情報メモリ、５１１…識別情報／解除通知形成部、５２１…操作入力部、５２２…操作入力Ｉ／Ｆ、５２３…ディスプレイコントローラ、５２４…ディスプレイ、５２５…リンガ、５３１…充電端子、５３２…接続検出部、５３３…充電回路、５３４…バッテリ、５４０…制御部、５５１…無線ＬＡＮ用の送受信アンテナ、５５２…無線ＬＡＮ通信部、６…ＩＰ網、７…電話網
【図１】
2012213100.tif 000003
【図２】
2012213100.tif 000004
【図３】
2012213100.tif 000005
【図４】
2012213100.tif 000006
【図５】
2012213100.tif 000007
【図６】
2012213100.tif 000008
【図７】
2012213100.tif 000009
【図８】
2012213100.tif 000010
【図９】
2012213100.tif 000011
【図１０】
2012213100.tif 000012
【図１１】
2012213100.tif 000013
【図１２】
2012213100.tif 000014
【図１３】
2012213100.tif 000015
【図１４】
2012213100.tif 000016
【図１５】
2012213100.tif 000017
【図１６】
2012213100.tif 000018
【図１７】
2012213100.tif 000019